(57)【要約】【課題】間仕切り用パネル相互の連結及び連結の切り離しを容易に行うことができるパネル連結装置を提供する。【解決手段】第１、第２の間仕切り用パネル２ａ，２ｂ相互を連結するパネル連結装置である。第１の間仕切り用パネル２ａの連結縦側部３ａに、第１の係合部５を有する係合部材６を突設する。第２の間仕切り用パネル２ｂの連結縦側部３ｂに、上下方向に延長する第２の係合部７と係合解除部９を設ける。第１の係合部５が第２の係合部７に向けて横方向で相対的に前進するに伴い、第１の係合部５と第２の係合部７が、弾性変形によって分離不能に係合できる。これによって第１、第２の間仕切り用パネル２ａ，２ｂが連結される。第１、第２の間仕切り用パネルの何れか一方を持ち上げて係合解除部９に位置させると、両間仕切り用パネルを分離できる。【選択図】図１５
2019065544.tif 000002
【特許請求の範囲】
【請求項１】
立設状態にある第１の間仕切り用パネルの、上下方向に延長するパネル縦縁部に設けられた連結縦側部と、立設状態にある第２の間仕切り用パネルの、上下方向に延長するパネル縦縁部に設けられた連結縦側部とを横方向で連結するパネル連結装置であって、
前記第１の間仕切り用パネルの前記連結縦側部には、その所要高さ部位に第１の係合部を有する係合部材が突設されており、
前記第２の間仕切り用パネルの前記連結縦側部には、該係合部材の有する該第１の係合部と係合し得る第２の係合部が上下方向に延長して設けられると共に、該第２の係合部が設けられておらず前記第１の係合部との係合を不能とする係合解除部が設けられており、  
前記第１の係合部が前記第２の係合部に向けて前記横方向で相対的に前進するに伴い該第１の係合部及び／又は該第２の係合部が弾性変形し、その後における、該弾性変形した部分の弾性復帰作用によって該第１の係合部と該第２の係合部とが前記横方向で分離不能に係合でき、これによって前記第１、第２の間仕切り用パネル相互が前記連結縦側部で連結される如くなされており、
又、前記第１、第２の間仕切り用パネルの何れか一方をその他方に対して所要高さに持ち上げて前記第１の係合部を前記係合解除部に位置させることにより、前記第１、第２の係合部の係合が解除されて該一方の間仕切り用パネルと前記他方の間仕切り用パネルとを分離可能となされていることを特徴とするパネル連結装置。
【請求項２】
前記係合部材は、前記第１の間仕切り用パネルの前記パネル縦縁部に固定台座部を介して固定される柱部材に突設されており、該柱部材は、平面視で正方形状を呈する四つの縦側面部を有し、該四つの縦側面部の内の一つに前記固定台座部が固定されており、残余の縦側面部の内の少なくとも一つに前記係合部材が突設されており、前記柱部材を上下方向にして見たときに該係合部材が前記固定台座部と略同高さ位置に設けられていることを特徴とする請求項１記載のパネル連結装置。
【請求項３】
前記柱部材が、前記固定台座部が存する部位又は、該固定台座部が存する部位から稍外れた部位において、前記パネル縦縁部にビス固定されていることを特徴とする請求項２記載のパネル連結装置。
【請求項４】
前記柱部材の前記縦側面部の左右の縁部には、左右対向する係合溝が設けられており、前記係合部材は、左右の側部分が左右の該係合溝に挿入される基板の両側寄り部位において、平行して突出する一対の係合突出片が設けられており、該一対の係合突出片からなる前記第１の係合部が前記第２の係合部に対して前記横方向で相対的に前進するに伴い、該一対の係合突出片が向き合う内方に弾性変形し、その後における該一対の係合突出片の弾性復帰作用によって該一対の係合突出片と該第２の係合部とが前記横方向で分離不能に係合できることを特徴とする請求項２又は３記載のパネル連結装置。
【請求項５】
前記係合部材は、前記残余の縦側面部の内の一つに突設されていることを特徴とする請求項２、３又は４記載のパネル連結装置。
【請求項６】
前記係合部材は、前記残余の縦側面部の内の二つに突設されていることを特徴とする請求項２、３又は４記載のパネル連結装置。
【請求項７】
前記係合部材は、前記残余の縦側面部の三つに突設されていることを特徴とする請求項２、３又は４記載のパネル連結装置。
【請求項８】
前記第１の間仕切り用パネルの連結縦側部と前記第２の間仕切り用パネルの連結縦側部とが連結された状態で、前記係合解除部が前記第１の係合部の直下又はその直上に位置していることを特徴とする請求項１〜７の何れかに記載のパネル連結装置。
【請求項９】
請求項１〜８の何れかに記載のパネル連結装置において、前記連結縦側部相互が連結状態にある第１、第２の間仕切り用パネルの内の何れか一方の間仕切り用パネルの下面部には、その他方の間仕切り用パネルの下面部端部分に当接し得る係合突片部を具えるスライド係合部材が、該下面部の長さ方向でスライド可能に設けられており、該スライド係合部材を、該係合突片部が前記下面部端部分に当接するように外方にスライドさせた状態で、該スライド係合部材を固定手段によって前記下面部に固定可能となされ、該係合突片部が該下面部端部分に当接された状態で、該一方の間仕切り用パネルの持ち上げが不能となされており、
前記固定が解除されるように前記スライド係合部材を内方にスライドさせた状態で、前記第１の係合部を前記係合解除部に位置させることができるように該一方の間仕切り用パネルを持ち上げ可能となされていることを特徴とするパネル連結装置。
【請求項１０】
上下方向に延長する左右のパネル縦縁部の夫々に連結縦側部が設けられてなる間仕切り用パネルであって、左右何れか一方の連結縦側部には、その所要高さ部位に、第１の係合部を有する係合部材が突設されており、
他方の連結縦側部には、該間仕切り用パネルに連結される別の間仕切り用パネルに同様に設けられている前記第１の係合部と係合し得る第２の係合部が上下方向に延長して設けられると共に、該第２の係合部が設けられておらず前記第１の係合部との係合を不能とする係合解除部が設けられており、
前記係合部材は、前記第１の係合部が、該間仕切り用パネルに連結される別の間仕切り用パネルに同様に設けられている前記第２の係合部に向けて横方向で相対的に前進するに伴い該第１の係合部が弾性変形し、その後における該第１の係合部の弾性復帰作用によって該第１の係合部が該第２の係合部と前記横方向で分離不能に係合できることを特徴とする間仕切り用パネル。
【請求項１１】
横方向で連結される前記連結縦側部の内の一方の連結縦側部は、上下方向に延長する前記パネル縦縁部に、固定台座部を介して柱部材を固定して構成されており、前記係合部材が、該柱部材に突設されており、該柱部材は、平面視で正方形状を呈する四つの縦側面部を有し、該四つの縦側面部の内の一つに前記固定台座部が固定されており、残余の縦側面部の少なくとも一つに前記係合部材が突設されており、前記柱部材を上下方向にして見たときに該係合部材が前記固定台座部と略同高さ位置に設けられていることを特徴とする請求項１０記載の間仕切り用パネル。
【請求項１２】
請求項１１記載の間仕切り用パネルにおいて、前記柱部材の前記縦側面部の左右の縁部には、左右対向する係合溝が設けられており、前記係合部材は、左右の側部分が左右の該係合溝に挿入される基板の両側寄り部位において、平行して突出する一対の係合突出片が設けられており、該一対の係合突出片からなる前記第１の係合部が、該間仕切り用パネルに連結される別の間仕切り用パネルに同様に設けられている前記第２の係合部に向けて前記横方向で相対的に前進するに伴い、前記一対の係合突出片が向き合う内方に弾性変形し、その後における該一対の係合突出片の弾性復帰作用によって該一対の係合突出片と該第２の係合部とが前記横方向で分離不能に係合できることを特徴とする間仕切り用パネル。
【請求項１３】
前記間仕切り用パネルの下面部には、該間仕切り用パネルに連結される別の間仕切り用パネルの下面部端部分に当接し得る係合突片部を具えるスライド係合部材が、該下面部の長さ方向でスライド可能に設けられており、該スライド係合部材を、該係合突片部が前記下面部端部分に当接するように外方にスライドさせた状態で、該スライド係合部材を固定手段によって前記下面部に固定可能となされていることを特徴とする請求項１０、１１又は１２記載の間仕切り用パネル。
【発明の詳細な説明】
【技術分野】
【０００１】
本発明は、ローパーティション等としての間仕切りを構成するに際して、間仕切り用パネル相互を連結するパネル連結装置に関するものであり、又該パネル連結装置を構成する間仕切り用パネルに関するものである。
【背景技術】
【０００２】
ローパーティション等としての間仕切りを構成するに際して、間仕切り用パネル相互を連結するパネル連結装置の一例としては、例えば特許文献１が開示する連結装置が提案されている。該パネル連結装置は、パネルを直線状やＬ字状、十字状に連結する施工を、パネル連結部の上端に上連結金具を取り付けると共にパネル連結部の下端に下連結金具を取り付けて行うものであった。
【０００３】
図４８は、かかるパネル連結装置ａ１の一例を示すものであり、パネルｂ，ｂを直線状に連結する場合を示している。該連結に使用する上連結金具ｃと下連結金具ｄはプレート状を呈しており、両先端に係止ツメｅ，ｅが設けられていた。そしてパネル相互の連結に際しては、該係止ツメｅ，ｅを、該パネルｂ，ｂの上面ｆ，ｆと下面ｇ，ｇの夫々に設けた係止溝ｈ，ｈに嵌合させると共に、該上連結金具ｃは、その両側部分に設けたネジ孔ｊ，ｊを挿通するネジｋ，ｋを該パネルｂ，ｂの上面ｆ，ｆにネジ止めする一方、該下連結金具ｄには、その両側部分に設けたアジャスターネジｍ，ｍを取り付ける構成を採用していた。
【０００４】
しかしながら、かかる構成を採用するパネル連結装置ａによるときはパネルｂ，ｂ相互を連結するために、前記上下連結金具ｃ，ｄを用い、夫々の両先端に設けられている前記係止ツメｅ，ｅをパネルｂに設けた前記係止溝ｈ，ｈに位置合わせして嵌合させる必要があり、且つ、上連結金具ｃをパネルｂにネジ止めする必要があり、下連結金具ｄにはアジャスターネジｍ，ｍを取り付ける必要があった。このように該パネル連結装置ａによるときは、ネジ止め箇所が多い等によって連結施工に多くの手間を要した。特に、下連結金具ｄによってパネルｂ，ｂ相互を連結する作業は、パネル連結部分を目視できない状態での連結作業となるために、前記係止ツメｅ，ｅを前記係止溝ｈ，ｈに位置合わせして嵌合させる作業は、上連結金具ｃによってパネルｂ，ｂ相互を連結する場合に比して難しかった。かかることから該パネル連結装置によるときは、パネルの連結施工に多くの手間と時間を要して施工性が悪い問題があった。
【０００５】
又、間仕切りの組み替えを行う場合は、前記のようにネジ止め箇所が多い等によって、連結金具ｃ，ｄを取り外すに際して多くのネジを外す必要があり、又、パネルｂの再組み立てに際しては前記のようにネジ止め箇所が多いことによって、間仕切りの組み替え作業に多くの手間と時間を要して施工性が悪い問題があった。
【０００６】
パネル連結装置の他の例としては、特許文献２記載のものが提案されている。該パネル連結装置ａ２は図４９に示すように、支柱ｎの外部に突出した連結具ｐの対向する連結片ｑ，ｑを、該支柱ｎの長孔ｒ，ｒと、連結される間仕切りパネルｓ，ｓの連結孔ｔ，ｔに挿入し、該連結具ｐの上部溝部ｕ側の接続部上端と間仕切りパネルｓの連結孔端部とが接触するように該間仕切りパネルｓを上部溝部ｕに嵌め込む。これによって間仕切りパネルｓを支柱ｎに取り付けるものであった。
【０００７】
しかしながら、かかるパネル連結装置によるときは、前記連結片ｑ，ｑを、連結される間仕切りパネルｓ，ｓの連結孔ｔ，ｔに位置合わせするためには、該長孔ｒ，ｒと該連結孔ｔ，ｔの位置を目視により正しく合致させて該連結片ｑ，ｑを、該長孔ｒ，ｒと該連結孔ｔ，ｔに挿入する必要があり、間仕切りパネルｓ，ｓ相互の連結施工に多くの手間を要して施工性が悪い問題があった。
【先行技術文献】
【特許文献】
【０００８】
【特許文献１】特開２００５−１８８１６６号公報
【特許文献２】特開平６−２３５２３８号公報
【発明の概要】
【発明が解決しようとする課題】
【０００９】
本発明は、立設状態にある間仕切り用パネル相互の連結を簡易且つ確実に行うことができると共に、間仕切りの組み替えを行う場合には間仕切り用パネルの分離を容易に行うことができるパネル連結装置の提供を課題とするものである。又、連結された間仕切り用パネルの設置状態の安定性向上を図り得るパネル連結装置の提供を課題とするものである。更に、該パネル連結装置を構成するために用いて好適な間仕切り用パネルの提供を課題とするものである。
【課題を解決するための手段】
【００１０】
前記課題を解決するため本発明は以下の手段を採用する。
即ち本発明に係るパネル連結装置の第１の態様は、立設状態にある第１の間仕切り用パネルの、上下方向に延長するパネル縦縁部に設けられた連結縦側部と、立設状態にある第２の間仕切り用パネルの、上下方向に延長するパネル縦縁部に設けられた連結縦側部とを横方向で連結するパネル連結装置であって、前記第１の間仕切り用パネルの前記連結縦側部には、その所要高さ部位に、第１の係合部を有する係合部材が突設されている。前記第２の間仕切り用パネルの前記連結縦側部には、該係合部材の有する該第１の係合部と係合し得る第２の係合部が上下方向に延長して設けられると共に、該第２の係合部が設けられておらず前記第１の係合部との係合を不能とする係合解除部が設けられている。
【００１１】
そして前記係合部材は、前記第１の係合部が前記第２の係合部に向けて前記横方向で相対的に前進するに伴い該第１の係合部及び／又は該第2 の係合部が弾性変形し、その後における、該弾性変形した部分の弾性復帰作用によって該第１の係合部と該第２の係合部とが前記横方向で分離不能に係合でき、これによって前記第１、第２の間仕切り用パネル相互が前記連結縦側部で連結される如くなされている。又、前記第１、第２の間仕切り用パネルの何れか一方をその他方に対して所要高さに持ち上げて前記第１の係合部を前記係合解除部に位置させることにより、前記第１、第２の係合部の係合が解除されて該一方の間仕切り用パネルと前記他方の間仕切り用パネルとを分離可能となされていることを特徴とするものである。
【００１２】
本発明に係るパネル連結装置の第２の態様は、前記第１の態様において、前記係合部材が、前記第１の間仕切り用パネルの前記パネル縦縁部に固定台座部を介して固定される柱部材に突設されており、該柱部材は、平面視で正方形状を呈する四つの縦側面部を有し、該四つの縦側面部の内の一つに前記固定台座部が固定されている。そして、残余の縦側面部の内の少なくとも一つに前記係合部材が突設されており、前記柱部材を上下方向にして見たときに該係合部材が前記固定台座部と略同高さ位置に設けられていることを特徴とするものである。
【００１３】
本発明に係るパネル連結装置の第３の態様は、前記第２の態様において、前記柱部材が、前記固定台座部が存する部位又は、該固定台座部が存する部位から稍外れた部位において、前記パネル縦縁部にビス固定されていることを特徴とするものである。
【００１４】
本発明に係るパネル連結装置の第４の態様は、前記第２又は第３の態様において、前記柱部材の前記縦側面部の左右の縁部には、左右対向する係合溝が設けられている。そして前記係合部材は、左右の側部分が左右の該係合溝に挿入される基板の両側寄り部位において、平行して突出する一対の係合突出片が設けられており、該一対の係合突出片からなる前記第１の係合部が前記第２の係合部に対して前記横方向で相対的に前進するに伴い、該一対の係合突出片が向き合う内方に弾性変形し、その後における該一対の係合突出片の弾性復帰作用によって該一対の係合突出片と該第２の係合部とが前記横方向で分離不能に係合できることを特徴とするものである。
【００１５】
本発明に係るパネル連結装置の第５の態様は、前記第２、３又は第４の態様において、前記係合部材は、前記残余の縦側面部の内の一つに突設されていることを特徴とするものである。
【００１６】
本発明に係るパネル連結装置の第６の態様は、前記第２、３又は第４の態様において、前記係合部材は、前記残余の縦側面部の内の二つに突設されていることを特徴とするものである。
【００１７】
本発明に係るパネル連結装置の第７の態様は、前記第２、３又は第４の態様において、前記係合部材は、前記残余の縦側面部の三つに突設されていることを特徴とするものである。
【００１８】
本発明に係るパネル連結装置の第８の態様は、前記第１〜７の態様の何れかにおいて、前記第１の間仕切り用パネルの連結縦側部と前記第２の間仕切り用パネルの連結縦側部とが連結された状態で、前記係合解除部が前記第１の係合部の直下又はその直上に位置していることを特徴とするものである。
【００１９】
本発明に係るパネル連結装置の第９の態様は、前記第１〜８の態様の何れかにおいて、前記連結縦側部相互が連結状態にある第１、第２の間仕切り用パネルの内の何れか一方の間仕切り用パネルの下面部に、その他方の間仕切り用パネルの下面部端部分に当接し得る係合突片部を具えるスライド係合部材が、該下面部の長さ方向でスライド可能に設けられており、該スライド係合部材を、該係合突片部が前記下面部端部分に当接するように外方にスライドさせた状態で、該スライド係合部材を固定手段によって前記下面部に固定可能となされ、該係合突片部が該下面部端部分に当接された状態で、該一方の間仕切り用パネルの持ち上げが不能となされている。そして、前記固定が解除されるように前記スライド係合部材を内方にスライドさせた状態で、前記第１の係合部を前記係合解除部に位置させることができるように該一方の間仕切り用パネルを持ち上げ可能となされていることを特徴とするものである。
【００２０】
本発明に係る間仕切り用パネルの第１の態様は、上下方向に延長する左右のパネル縦縁部の夫々に連結縦側部が設けられてなる間仕切り用パネルであって、左右何れか一方の連結縦側部には、その所要高さ部位に、第１の係合部を有する係合部材が突設されている。又、他方の連結縦側部には、該間仕切り用パネルに連結される別の間仕切り用パネルに同様に設けられている前記第１の係合部と係合し得る第２の係合部が上下方向に延長して設けられると共に、該第２の係合部が設けられておらず前記第１の係合部との係合を不能とする係合解除部が設けられている。そして前記係合部材は、前記第１の係合部が、該間仕切り用パネルに連結される別の間仕切り用パネルに同様に設けられている前記第２の係合部に向けて横方向で相対的に前進するに伴い該第１の係合部が弾性変形し、その後における該第１の係合部の弾性復帰作用によって該第１の係合部が該第２の係合部と前記横方向で分離不能に係合できることを特徴とするものである。
【００２１】
本発明に係る間仕切り用パネルの第２の態様は、横方向で連結される前記連結縦側部の内の一方の連結縦側部は、上下方向に延長する前記パネル縦縁部に、固定台座部を介して柱部材を固定して構成されており、前記係合部材が、該柱部材に突設されており、該柱部材は、平面視で正方形状を呈する四つの縦側面部を有し、該四つの縦側面部の内の一つに前記固定台座部が固定されており、残余の縦側面部の少なくとも一つに前記係合部材が突設されており、前記柱部材を上下方向にして見たときに該係合部材が前記固定台座部と略同高さ位置に設けられていることを特徴とするものである。
【００２２】
本発明に係る間仕切り用パネルの第３の態様は、前記第２の態様に係る間仕切り用パネルにおいて、前記柱部材の前記縦側面部の左右の縁部に、左右対向する係合溝が設けられている。そして前記係合部材は、左右の側部分が左右の該係合溝に挿入される基板の両側寄り部位において、平行して突出する一対の係合突出片が設けられており、該一対の係合突出片からなる前記第１の係合部が、該間仕切り用パネルに連結される別の間仕切り用パネルに同様に設けられている前記第２の係合部に向けて前記横方向で相対的に前進するに伴い、前記一対の係合突出片が向き合う内方に弾性変形し、その後における該一対の係合突出片の弾性復帰作用によって該一対の係合突出片と該第２の係合部とが前記横方向で分離不能に係合できることを特徴とするものである。
【００２３】
本発明に係る間仕切り用パネルの、前記第１〜３の何れかの態様において、前記間仕切り用パネルの下面部には、該間仕切り用パネルに連結される別の間仕切り用パネルの下面部端部分に当接し得る係合突片部を具えるスライド係合部材が、該下面部の長さ方向でスライド可能に設けられており、該スライド係合部材を、該係合突片部が前記下面部端部分に当接するように外方にスライドさせた状態で、該スライド係合部材を固定手段によって前記下面部に固定可能となされていることを特徴とするものである。
【発明の効果】
【００２４】
本発明は以下の如き優れた効果を奏する。
(1) 本発明に係るパネル連結装置によるときは、立設状態にある間仕切り用パネル相互の連結を、前記第１の係合部を前記第２の係合部に向けて前記横方向で相対的に前進させて押し込み操作するだけで容易に行うことができる。従って本発明によるときは、ネジ止め箇所が多い従来のパネル連結装置とは異なり、所要の間仕切りを施工性よく構成できる。
又、間仕切りの組み替えや撤去を行う際には、前記第１の間仕切り用パネルを所要高さに持ち上げて前記第１の係合部を前記係合解除部に位置させることによって、間仕切り用パネル相互を容易に分離できる。
【００２５】
(2) 本発明に係る間仕切り用パネルがその下面部にスライド係合部材を具える場合は、連結された間仕切り用パネルが不用意に持ち上げられた状態となるのを確実に防止できるため、間仕切り用パネル相互を所要に連結して構成した間仕切りの安定性向上を図り得る。
【００２６】
(3) 前記係合部材を、前記第１の間仕切り用パネルの前記パネル縁部に固定台座部を介して固定した柱部材に突設することとし、該柱部材は、平面視で正方形状を呈する四つの縦側面部を有し、該四つの縦側面部の内の一つに前記固定台座部が固定されたものとし、残余の縦側面部の内の少なくとも一つに前記係合部材を突設し、前記柱部材を上下方向にして見たときに該係合部材を前記固定台座部と略同高さ位置に設ける構成を採用する場合は、前記間仕切り用パネルを、直線状に連結できるだけでなく、平面視でＬ字状やＴ字状、十字状を呈する状態にも見栄えよく連結でき、しかも該連結を、前記柱部材を極力撓み変形させないで安定状態で行うことができる。
【図面の簡単な説明】
【００２７】
【図１】本発明に係るパネル連結装置を構成する第１、第２の間仕切り用パネルの構成を説明する正面図である。
【図２】第１、第２の間仕切り用パネルを連結した状態を示す正面図である。
【図３】第１、第２の間仕切り用パネルが連結状態において、該第２の間仕切り用パネルを分離するために該第２の間仕切り用パネルを持ち上げた状態を示す正面図である。
【図４】第２の間仕切り用パネルを第１の間仕切り用パネルと分離した状態を示す正面図である。
【図５】第１、第２の間仕切り用パネルの連結状態を示す部分拡大正面図である。
【図６】第１、第２の間仕切り用パネルが連結状態において、該第２の間仕切り用パネルを分離するために該第２の間仕切り用パネルを持ち上げた状態を示す部分拡大正面図である。
【図７】第２の間仕切り用パネルを第１の間仕切り用パネルと分離した状態を示す部分拡大正面図である。
【図８】ローパーティションの一例を示す斜視図である。
【図９】その平面図である。
【図１０】その断面図である。
【図１１】そのローパーティションを構成する間仕切り用パネルを分離した状態で示す平面図である。
【図１２】間仕切り用パネルを示す一部切欠斜視図である。
【図１３】間仕切り用パネルを示す縦断面図である。
【図１４】間仕切り用パネルを構成するパネル枠材を示す斜視図である。
【図１５】間仕切り用パネルの左右の連結縦側部を示す斜視図である。
【図１６】第２の間仕切り用パネルの連結縦側部に係合部材を突設した状態を示す斜視図である。
【図１７】第２の間仕切り用パネルの連結縦側部に係合部材を突設した状態を示す断面図である。
【図１８】直角をなすパネル枠の留継ぎ部の構成を説明する一部断面正面図である。
【図１９】間仕切り用パネルの角部分の構成を説明する斜視図である。
【図２０】上のパネル枠の外開放溝をスライドカバー部材で覆った状態を示す断面図である。
【図２１】第２の間仕切り用パネルの連結縦側部に、柱部材を介して係合部材を突設する構成を示す斜視図である。
【図２２】その側面図と、柱部材の構成を説明する正面図である。
【図２３】第１、第２の間仕切り用パネルを直線状に連結した状態を示す断面図である。
【図２４】第２の間仕切り用パネルの連結縦側部に、柱部材を介して係合部材を突設した状態を示す部分断面図である。
【図２５】第２の間仕切り用パネルの連結縦側部に、固定台座部を介して柱部材を固定する要領を説明する説明図である。
【図２６】第１、第２の間仕切り用パネルを、平面視でＬ字状を呈する如く連結した状態を示す断面図である。
【図２７】第１、第２の間仕切り用パネルを、平面視でＴ字状を呈する如く連結した状態を示す断面図である。
【図２８】第１、第２の間仕切り用パネルを、平面視で十字状を呈する如く連結した状態を示す断面図である。
【図２９】第１、第２の間仕切り用パネルを、平面視で直線状を呈する如く連結する要領を説明する断面図である。
【図３０】係合解除部の構成を、該係合解除部に第１の係合部を位置させた状態で示す正面図である。
【図３１】係合解除部に第１の係合部を位置させた状態を示す断面図である。
【図３２】間仕切り用パネルの下面部にスライド係合部材をスライド可能に設けた状態を示す斜視図である。
【図３３】間仕切り用パネル相互が連結された状態において、一方の間仕切り用パネルの下面部にスライド可能に設けたスライド係合部材の係合突片部が他方の間仕切り用パネルの下面部端部分に当接した状態と、該当接した状態が解除された状態を示す断面図である。
【図３４】ローパーティションのパネル連結状態の部分断面図である。
【図３５】ローパーティションのパネル連結状態の部分断面図である。
【図３６】間仕切り用パネル相互の連結部の上下部分を示す断面図である。
【図３７】間仕切り用パネル相互を直線状に連結した後に、連結部分の上下端に設けられた上下の段差部に上下のカバー部材を装着する工程を説明する斜視図である。
【図３８】上の段差部に上のカバー部材を装着した状態を示す斜視図である。
【図３９】第１、第２の係合部の他の態様をその係合作用と共に示す断面図である。
【図４０】第１、第２の係合部の他の態様をその係合作用と共に示す断面図である。
【図４１】係合解除部を第１の係合部の直上に配置した場合の一例を示す側面図である。
【図４２】第１の間仕切り用パネルを持ち上げて、第１の係合部を係合解除部に位置させた状態を示す側面図である。
【図４３】第１の間仕切り用パネルの連結縦側部に係合部材を突設した他の態様を示す断面図である。
【図４４】長孔が設けられてなるスライド係合部材を示す斜視図である。
【図４５】スライド係合部材をスライド可能とする他の構成を説明する断面図である。
【図４６】間仕切り用パネル相互が連結された状態における、スライド係合部材の他の構成を示す断面図である。
【図４７】第２の間仕切り用パネルの連結縦側部に、柱部材を介して係合部材を突設した状態の他の態様を示す部分断面図である。
【図４８】従来のパネル連結装置の一例を示す斜視図である。
【図４９】従来のパネル連結装置の他の例を示す斜視図である。
【発明を実施するための形態】
【実施例１】
【００２８】
本発明に係るパネル連結装置１は、図１に示すように、立設状態にある第１の間仕切り用パネル２（以下、符号２ａでも示す）の、上下方向に延長するパネル縦縁部Ａ（Ａ１）に設けられた連結縦側部３（以下、符号３ａでも示す）と、立設状態にある第２の間仕切り用パネル２（以下、符号２ｂでも示す）の、上下方向に延長するパネル縦縁部Ａ（Ａ２）に設けられた連結縦側部３（以下、符号３ｂでも示す）とを横方向で連結する連結装置であり、該第１の間仕切り用パネル２ａの前記連結縦側部３ａには、その所要高さ部位に、第１の係合部５を有する係合部材６が設けられている。又、前記第２の間仕切り用パネル２ｂの前記連結縦側部３ｂには、該係合部材６の有する該第１の係合部５と係合し得る第２の係合部７が上下に延長して設けられると共に、該第２の係合部７が設けられておらず前記第１の係合部５との係合を不能とする係合解除部９が設けられている。
【００２９】
そして前記係合部材６は、前記第１の係合部５が前記第２の係合部７に対して前記横方向で相対的に前進するに伴い該第１の係合部５及び／又は前記第２の係合部７が弾性変形し、その後における、該弾性変形した部分の弾性復帰作用によって該第１の係合部５と該第２の係合部７とが前記横方向で分離不能に係合でき、これによって図２、図５に示すように、前記第１、第２の間仕切り用パネル２ａ，２ｂ相互が前記連結縦側部３ａ，３ｂで連結される如くなされている。又、前記第１、第２の間仕切り用パネル２ａ，２ｂの何れか一方（本実施例においては前記第２の間仕切り用パネル２ｂ）を、図３に示すように、その他方に対して所要高さに持ち上げて前記第１の係合部５を前記係合解除部９に位置させることにより、前記第１、第２の係合部５，７の係合が解除されて、図３、図６に示すように、該第１の間仕切り用パネル２ａと該第２の間仕切り用パネル２ｂとを分離可能となされている。分離された状態を図４、図７に示している。
【００３０】
又本実施例においては図５に示すように、第２の間仕切り用パネル２ｂの下面部１０に、前記第１の間仕切り用パネル２ａの下面部端部分１１に当接し得る係合突片部１２を具えるスライド係合部材１３が、該下面部１０の長さ方向でスライド可能に設けられている。そして該スライド係合部材１３を、該係合突片部１２が前記下面部端部分１１に当接するように外方にスライドさせた状態で、該スライド係合部材１３を固定手段１５によって前記下面部１０に固定可能となされている。
【００３１】
該係合突片部１２が該下面部端部分１１に当接された状態で、前記第２の間仕切り用パネル２ｂの持ち上げが不能となる。そして、前記固定が解除されるように前記スライド係合部材１３を内方にスライドさせた状態（図６）で、前記第１の係合部５を前記係合解除部９に位置させることができるように前記一方の間仕切り用パネル２（前記第２の間仕切り用パネル２ｂ）を持ち上げ可能となされている（図３、図６）。
【００３２】
次に、前記パネル連結装置１の構成を図面に基づいてより具体的に説明するが、説明の便宜上、図２３、図２５〜２９、図３１、図３４〜３５においては、後述の柱部材２２を後述の連結縦側部３ａに固定する後述のビス１２０を省略をすると共に、各部のハッチングを省略している。
【００３３】
本発明は、例えば図８〜１１に示すローパーティション１６を床面１４上で構成するために応用されており、該ローパーティション１６を構成する隣り合う立設状態の間仕切り用パネル２，２の前記連結縦側部３，３相互が、本発明に係るパネル連結装置１を応用して連結されている。ここに図１１は、該ローパーティション１６を個々の間仕切り用パネル２に分離した図であり、図９、図１１に示されているハッチングが付された長方形状部は、前記スライド係合部材１３を示している。以下、隣り合う立設状態の間仕切り用パネル２，２の内の一方を前記した第１の間仕切り用パネル２ａとし、その他方を、前記した第２の間仕切り用パネル２ｂとする。前記間仕切り用パネル２は、図１２〜１３に示すように、矩形状板体として構成されており、対向する左右の側面部材１７，１７間に圧縮性芯材１９が介在されている。
【００３４】
前記ローパーティション１６においては、これを構成する間仕切り用パネル２のパネル高さが１１００ｍｍに設定されると共に、そのパネル幅は、図８に示すローパーティション１６にあっては４５０ｍｍと１０００ｍｍの２種類に設定されている。図８においては、中間の間仕切り用パネル２Ａのパネル幅は１０００ｍｍに設定されており、その他の間仕切り用パネル２のパネル幅は４５０ｍｍに設定されている。
【００３５】
該間仕切り用パネル２の上下左右の各縁部２０，２０，２０，２０（図１２）は、本実施例においては図１４に示すパネル枠材２１を用いて構成されている。そして図１５〜１７に示すように、上下方向に延長する縁部（前記パネル縦縁部Ａ）に設けられた左右の連結縦側部３，３の一者( パネル縦縁部Ａ１に設けられた連結縦側部３ａ) は、固定台座部２３（図１６〜１７）を介して柱部材２２を固定して構成されており、該柱部材２２に、前記第１の係合部５が設けられてなる前記係合部材６（図１６）が突設されている。一方、その他者（パネル縦縁部Ａ２に設けられた連結縦縁部３ｂ）には、図１５、図１７に示すように、前記第２の係合部７を設けて構成されている。
【００３６】
該パネル枠材２１は、所要長さに切断されて後述のパネル枠６３とされることによって、図１３、図１７に示すように、前記圧縮性芯材１９の芯材端面部２５に内端２６が当接されると共に、平行する左右の枠材側面部２７，２７には左右の前記側面部材１７，１７の縁側部分２９，２９が当接される如くなされている。前記側面部材１７は、図１３、図１７に示すように、前記圧縮性芯材１９の芯材側面部３０に当接される平板部３１の前記縁側部分２９の外縁部３２に、前記間仕切り用パネル２の厚さ方向に直角状態に屈曲されてなる屈曲片３３が形成されている。
【００３７】
そして、左右の前記枠材側面部２７，２７には、前記内端２６と反対側をなす外端３５から前記内端２６側に稍控えた部位に、前記屈曲片３３を挿入させ得るＶ字状の挿入溝部３６が、該枠材側面部２７に対して直角方向に窪むように且つ左右対向状態に設けられている。又図１４（Ｂ）に示すように、該挿入溝部３６の、前記外端３５側に存する外側の溝部内側面３７は、前記枠材側面部２７と直角をなす直角平坦面３８として形成される一方、該挿入溝部３６の、前記内端２６側に存する内側の溝部内側面３９は、該挿入溝部３６の溝幅を該挿入溝部３６の溝底４０からその開口端４１に向けてＶ字状に拡大させる傾斜平坦面４２として形成されている。
【００３８】
前記パネル枠材２１は、より詳しくは図１４（Ａ）に示すように、外端部４３の左右両側に側面部４５，４５が左右対向して設けられてなる左右対称の角筒状を呈し、例えばアルミニウム合金製の押出成形体として構成されている。
【００３９】
前記側面部材１７（図１３）は、例えば０．５ｍｍの厚さを有するスチール製の矩形状板体であって、前記平板部３１の前記四つの外縁部３２，３２，３２，３２には、図１３、図１７に示すように、前記間仕切り用パネル２の厚さ方向に直角状態に屈曲されてなる前記屈曲片３３が形成されている。
【００４０】
図１４において、左右の前記枠材側面部２７，２７は、左右の側面部４５，４５の外面（内外方向Ｆ１に延長する面）４６として構成されており、左右の該側面部４５，４５の、該内外方向Ｆ１で見た中間部位４７，４７相互は連結片４９で連結されている。そして、該連結片４９の内面側の長手方向中央線に沿ってビス保持溝５０が設けられている。
【００４１】
左右の前記側面部４５，４５の左右の内端２６，２６側の部分は、内方に開放された内開放溝５１とされており、該側面部４５，４５の該内端２６，２６が、図１３、図１７に示すように芯材端面部２５に当接される。又前記側面部４５，４５の前記外端３５，３５側の部分は、外方に開放された外開放溝５２とされている。
【００４２】
該外開放溝５２の内側面５３，５３の形態は、図１４に示すように、左右対称の屈曲面として構成されている。該内側面５３，５３は、前記内外方向Ｆ１に延びる第１の内外方向面（前記枠材側面部２７，２７と平行する面）５５，５５の先端で、左右方向Ｆ２で見て内方向に延びる第１の左右方向面５６，５６（前記枠材側面部２７，２７と直交する面）が連設され、その先端で、前記内外方向Ｆ１に延びる第２の内外方向面５７，５７が連設され、その先端で、左右方向Ｆ２で見て外方向に延びる第２の左右方向面５９，５９が連設され、その先端で、前記内外方向Ｆ１に延びる第３の内外方向面６０，６０が連設され、その先端で、前記左右方向Ｆ２で見て外方向に延びる第３の左右方向面６１，６１が連設され、その先端で、前記内外方向Ｆ１に延びる第４の内外方向面６２，６２が連設されている。
【００４３】
そして、左右の前記側面部４５，４５の外端３５，３５側の部分には、前記枠材側面部２７，２７で開口する前記挿入溝部３６，３６が設けられ、その溝底４０の溝幅は１ｍｍに設定されると共にその開口端４１の溝幅は２ｍｍに設定され、該開口端４１の溝幅は、前記屈曲片３３の肉厚（本実施例においては０．５ｍｍ）よりも大きく設定されている。そして前記挿入溝部３６の溝深さは、前記屈曲片３３の長さよりも稍大きく設定されている。
【００４４】
かかる構成を有するパネル枠材２１は、所要長さに切断されることによって上下のパネル枠６３，６３、左右のパネル枠６３，６３とされ、前記間仕切り用パネル２の矩形状パネル枠体６５を構成する。直角をなすパネル枠６３，６３相互の夫々は留継ぎされており、図１８に示すように、前記ビス保持溝５０で保持されるビス６６を用いて接合されている。そして図１３に示すように、該パネル枠体６５内には例えばペーパーコアとしての前記圧縮性芯材１９が収容され、且つ該パネル枠体６５と該圧縮性芯材１９とが、対向する前記側面部材１７，１７で所要のプレス圧で挟持状態とされることによって前記間仕切り用パネル２が構成されている。
【００４５】
図１９は、前記上のパネル枠６３の前記外開放溝５２を覆い隠すために該外開放溝５２にスライドカバー部材６７を装着した状態を示している。該スライドカバー部材６７は図１４、図２０に示すように、該外開放溝５２の開放端６９を覆うスライドカバー片７０の下面７１の左右両側で脚片７２，７２を突設してなる。該左右の脚片７２，７２は同様の構成を有しており、その先端に、図２０に示すように、左右対向する前記第２の左右方向面５９，５９の縁部分７３，７３と当接状態に係合し得る係合突部７５，７５が設けられており、該係合突部７５，７５が、向き合う該縁部分７３，７３と当接状態に係合することによって前記スライドカバー部材６７の外れが防止される。該スライドカバー部材６７は、前記外開放溝５２の一端部からスライドにより装着される。なお図１４、図２０においては、前記脚片７２，７２の、左右方向で見た外面７６，７６の中間部位において、先端部７７，７７が外方に向け屈曲されてなる係合受片７９，７９が左右方向で突設されている。該係合受片７９，７９は、後述のように、間仕切り用パネル２の角部分８０に装着されるコーナー部材８１に設けられている係合突片８２を圧入状態で受けることによって、該コーナー部材８１が該角部分８０（図１８〜１９）から脱落するのを防止する。
【００４６】
前記柱部材２２は、本実施例においては図２１〜２２、図１７に示すように、柱部材本体２４の上下端２４a ，２４ｂに上下のカバー片２８a ，２８ｂを付設して構成されている。該柱部材本体２４は、アルミニウム合金製の押出成形体を所要長さに切断して構成されており、図２１（Ｂ）に示すように、横断面外形が正方形状の角筒状を呈し、その軸線に沿って円形孔８３が連続して設けられている。そして四つの縦側面部８５，８５，８５，８５の夫々の左右の縁部８６，８６には、左右対向する係合溝８７，８７が設けられている。該係合溝８７，８７は、図１７（Ｂ）に示すように、左右の該縁部８６，８６で、外方に突出する突出片８９，８９が形成され且つ該突出片８９，８９の先端で、向き合う方向に屈曲する屈曲片９０，９０が形成されることによって設けられている。又、夫々の縦側面部８５の長手中央線に沿って位置決め溝線９１（図２１）が設けられている。
【００４７】
かかる柱部材本体２４の上下端２４ａ，２４ｂは、図２１（Ａ）、図２に示すように、前記係合溝８７の全体を覆うように前記上下のカバー片２８ａ，２８ｂで覆われており、該上のカバー片２８ａの上面３４ａと該下のカバー片２８ｂの下面３４ｂは図２１〜２２に示すように、前記軸線と直交する平坦面として形成されている。なお該上下のカバー片２８ａ，２８ｂの付設は、前記係合部材６と前記固定台座部２３を前記柱部材本体２４に装着した後に行われる。
【００４８】
そして図２１〜２２に示すように、かかる構成を有する柱部材２２の前記縦側面部８５の所要高さ部位に前記係合部材６が設けられるのであるが、この所要高さ部位は、図１５〜１６に示すように、該柱部材２２を前記固定台座部２３を介して前記連結縦側部３に固定した状態での該連結縦側部３の所要高さ部位に設定されるものである。
【００４９】
前記係合部材６は、図１７，図２１に示すように、基板９２の外面９３の両側寄り部位において、平行して突出する係合突出片９５，９５が設けられており、該両係合突出片９５，９５は、夫々、その先端外面に係合突部９６が設けられている。本実施例においては、該係合突部９６が設けられてなる一対の係合突出片９５，９５が前記第1 の係合部５を構成している。該係合突部９６は図１７（Ｂ）に示すように、その裏面９７が、前記基板９２に向け且つ左右方向で見て外方に傾斜する傾斜ガイド面９９として構成されると共に、その表面１００が、前記係合突出片９５の突出方向と直交する平坦係合面１０１として構成されている。該第１の係合部５は、図２３に示すように、前記パネル枠６３の上下方向に延長して設けられてなる、前記第２の左右方向面５９，５９の縁部分１０２，１０２としての前記第２の係合部７と係合し得る。
【００５０】
そして図１７( Ｂ）に示すように、前記基板９２の左右の側部分１０３，１０３は前記係合溝８７，８７に挿入され、且つ、該基板９２は、図１７（Ｂ）、図２４に示すように、前記柱部材２２の前記縦側面部８５の所要高さ部位に例えばビス固定される。そのために本実施例においては図２４に示すように、前記基板９２( 図１７( Ｂ) ) の長手中央線に沿う例えば上下部位においてビス挿通孔１０５，１０５が設けられており、該ビス挿通孔１０５を挿通したビス１０６の先端を前記位置決め溝線９１（図２１）に当てがって前記縦側面部８５にネジ込むことにより、該係合部材６を前記柱部材２２にネジ固定する。
【００５１】
前記固定台座部２３は、図２１、図２５に示すように、基板１０７の外面１０９の両側寄り部位において、平行して突出する係合突出片１１０，１１０が設けられており、該両係合突出片１１０，１１０の先端外面に、係合突部１１１が設けられている。
【００５２】
該係合突部１１１は図２５に示すように、その裏面１１２が、前記基板１０７に向け且つ左右方向で見て外方に傾斜する傾斜ガイド面１１３として構成されると共に、その先端に、前記係合突出片１１０の突出方向と直交する平坦係合面１１５が設けられている。そして前記係合突部１１１は、図２３に示すように、前記パネル枠６３の上下に延長して設けられてなる、前記第２の左右方向面５９，５９の縁部分１０２，１０２と係合し得る。
【００５３】
図２５（Ａ）は、該固定台座部２３の前記基板１０７の左右の側部分１１６，１１６を前記係合溝８７，８７に挿入し、前記縦側面部８５の、前記係合部材６を前記柱部材２２に固定したのと略同高さ位置において（図２１〜２２、図２４）、例えばビス固定した状態を示している。そのために本実施例においては図２４に示すように、前記基板１０７の長手中央線に沿う例えば上下部位においてビス挿通孔１１８，１１８が設けられており、該ビス挿通孔１１８を挿通したビス１２４の先端を前記位置決め溝線９１（図２１）に当てがって前記縦側面部８５にネジ込むことにより、図２１、図２４〜２５に示すように、該固定台座部２３を前記柱部材２２にネジ固定する。
【００５４】
図１７、図２４は、前記係合部材６と前記固定台座部２３が固定されてなる前記柱部材２２を該固定台座部２３を介して前記間仕切り用パネル２の前記パネル縦縁部Ａ１に固定した状態を示している。この固定は、先ず図２５（Ａ）に示すように、該固定台座部２３の前記左右の係合突出片１１０，１１０の前記傾斜ガイド面１１３，１１３を、前記第１の左右方向面５６と前記第２の内外方向面５７とが交わる角部１０８に当接させる。この状態で該左右の係合突出片１１０，１１０を前記外開放溝５２内で押し込むと、図２５（Ｂ）に示すように前記傾斜ガイド面１１３，１１３の先端１２０，１２０が前記第２の内外方向面５７に擦られつつ前記連結片４９に向けて移動するのであるが、この際、図２５（Ｂ）に示すように、前記両係合突出片１１０，１１０が、向き合う内方に弾性変形する。そして最終的には図２５( Ｃ) に示すように、前記平坦係合面１１５，１１５が前記第２の左右方向面５７，５７と当接状態に係合することによって、前記固定台座部２３に設けられている前記係合突部１１１と、前記パネル縦縁部Ａ１に設けられている前記第２の係合部７とが前記横方向で分離不能に係合する。この係合状態で、図１７に示すように、該係合突部１１１，１１１の先端１１８，１１８が前記連結片４９の外面４８に当接する。
【００５５】
その後図１７、図２４に示すように、前記係合部材６の前記基板９２、前記柱部材２２、前記固定台座部２３の前記基板１０７の上下部位に設けられているビス挿通孔１１９，１１９を挿通したビス１２０，１２０を前記パネル枠６３の前記連結片４９にねじ込むことによって、前記柱部材２２を前記パネル縦縁部Ａ１に固定する。これによって図１７、図２４に示すように、該柱部材２２が前記固定台座部２３を支えとして該間仕切り用パネル２ａに安定的に連結されることとなる。
【００５６】
このように本実施例においては、該パネル縦縁部Ａ１への前記柱部材２２の固定を、前記係合部材６と略同高さ部位において固定された前記固定台座部２３を介して行うため、図１７、図２４に示すように、該固定台座部２３が支えとなって、該柱部材２２を安定状態で前記パネル縦縁部Ａ１に固定できると共に、後述する間仕切り用パネル２ａ，２ｂ相互の連結を安定状態で行うことができる。
【００５７】
図２３、図２６、図２７、図２８は、前記固定台座部２３が前記のように固定されてなる柱部材２２を用いて間仕切り用パネル２，２相互を連結した状態を示している。
【００５８】
図２３は、前記固定台座部２３が固定されてなる前記縦側面部８５（８５ａ）と対向する縦側面部８５（８５ｂ）に前記係合部材６を、該固定台座部２３と対向状態に固定してなる前記柱部材２２を介して、２枚の前記間仕切り用パネル２，２相互を平面視で直線状に連結した状態を示している。
【００５９】
図２６は、前記固定台座部２３が固定されてなる前記縦側面部８５（８５ａ）と隣り合う縦側面部８５( ８５ｂ) に前記係合部材６を、該固定台座部２３と直角をなして固定してなる前記柱部材２２を介して、２枚の前記間仕切り用パネル２，２相互を平面視でＬ字状の配置で連結した状態を示している。
【００６０】
図２７は、前記固定台座部２３が固定されてなる前記縦側面部８５（８５ａ）を除く二つの縦側面部８５（８５ｂ），８５（８５ｃ）に前記係合部材６，６が固定されてなる前記柱部材２２を用いて、３枚の前記間仕切り用パネル２，２，２，２を、平面視でＴ字状の配置で連結した状態を示している。
【００６１】
又図２８は、前記固定台座部２３が固定されてなる前記縦側面部８５（８５ａ）を除く三つの縦側面部８５（８５ｂ），８５( ８５ｃ) ，８５( ８５ｄ) に前記係合部材６，６，６が固定されてなる前記柱部材２２を用いて、４枚の前記間仕切り用パネル２，２，２，２を、平面視で十字状の配置で連結した状態を示している。
【００６２】
図２６、図２７、図２８に示す前記連結状態においては、前記固定台座部２３が固定されてなる間仕切り用パネル２に対して、これと直角をなす連結状態となる間仕切り用パネル２を連結するために用いられる係合部材６の両係合突出片９５，９５の長さは、パネル連結に支障が生じないように比較的長く形成されている。
【００６３】
図２９は、前記間仕切り用パネル２，２（前記第１の間仕切り用パネル２ａと前記第２の間仕切り用パネル２ｂ）の前記連結縦側部３ａ，３ｂ相互を連結する工程を説明するものであり、基本的な工程は、前記柱部材２２に設けられた前記固定台座部２３を前記パネル縦縁部Ａ１に固定する場合と同様である。先ず図２９（Ａ）に示すように、前記第１の間仕切り用パネル２ａの前記連結縦側部３ａに突設されている前記係合部材６の前記左右の係合突出片９５，９５の前記傾斜ガイド面９９，９９を、前記第１の左右方向面５６と前記第２の内外方向面５７とが交わる角部１０８に当接させる。
【００６４】
この状態で、前記第１の係合部５を前記第２の係合部７に対して前記横方向で相対的に前進させ、該左右の係合突出片９５，９５を前記外開放溝５２内で押し込む。これによって、図２９（Ｂ）に示すように、前記傾斜ガイド面９９，９９の先端１２２，１２２が前記第２の内外方向面５７，５７に擦られつつ前記圧縮性芯材１９の芯材端面部２５に向けて移動するのであるが、この際、前記両係合突出片９５，９５が向き合う内方に弾性変形する。そして最終的には図２３に示すように、前記平坦係合面１０１，１０１が前記第２の左右方向面５９と当接状態に係合することによって、前記第１の係合部５と前記第２の係合部７とが係合し、前記第１の間仕切り用パネル２ａと前記第２の間仕切り用パネル２ｂの前記連結縦側部３ａ，３ｂ相互が連結されることとなる。
【００６５】
前記係合解除部９は、図１５、図３０〜３１に示すように、前記第２の係合部７（図２１、図２３）が設けられておらず前記第１の係合部５との係合を不能とするものであり、本実施例においては、前記第１の左右方向面５６と前記第２の内外方向面５７と前記第２の左右方向面５９とで構成されている、上下方向に長い突条部１２３( 図１７) を、これが前記係合突部９６と接触しないように切除して構成されている（図３０〜３１）。
【００６６】
前記係合解除部は、前記外開放溝５２に挿入したドリルを用いて形成されており、本実施例においては、前記連結片４９( 図１４、図３０) も切除されている。該係合解除部９は図１５、図１に示すように、前記間仕切り用パネル２（２ｂ）の前記連結縦側部３ｂの上下に設けられており、夫々の係合解除部９，９の上下長さは１７０ｍｍ程度に設定されている。
【００６７】
そして図１５に示すように、下に位置する係合解除部９ｂの下端１２５は前記間仕切り用パネル２ｂの下面部１０から３５ｍｍ程度上方に位置している。又、上に位置する係合解除部９ａの上端１２６は前記間仕切り用パネル２ｂの上面部１２７から８５ｍｍ程度下方に位置している。又図２、図１５に示すように、前記間仕切り用パネル２ａ，２ｂ相互が連結された状態で、上に位置する前記係合解除部９ａは、上に位置する前記係合部材６ａの直下に位置し、下に位置する前記係合解除部９ｂは、下に位置する前記係合部材６ｂの直下に位置するようになされている。
【００６８】
そして図１に示すように、前記間仕切り用パネル２の夫々の下面部１０の両側部位１２９，１２９には、該間仕切り用パネル２の設置高さを調節するためのアジャスター１３０が設けられている。該アジャスター１３０は、図１３、図３２〜３３に示すように、前記パネル枠６３の前記連結片４９に固定されたナット１３１に螺合し得る調整ネジ軸１３２の下端に、床面１４に載置される座片１３３が設けられている。該調整ネジ軸１３２の該ナット１３１に対するねじ込み量を調整することにより、連結される間仕切り用パネル２の設置高さを所要に調整できる。
【００６９】
又本実施例においては図３２〜３３に示すように、相互が連結状態にある第１、第２の間仕切り用パネル２ａ，２ｂの内の一方の間仕切り用パネル（本実施例においては第２の間仕切り用パネル）２ｂの下面部１０に、その他方の間仕切り用パネル（第１の間仕切りをパネル）２ａの下面部端部分１１を覆う下のカバー部材１３７の下面１３９に当接し得る係合突片部１２を具えた前記スライド係合部材１３が、該下面部１０の長さ方向でスライド可能に設けられている。ここに該下面部端部分１１は、本実施例においては、前記柱部材２２の下端１３６であり、図２２（Ｂ）に示す前記下のカバー片２８ｂの下面３４ｂである。そして該スライド係合部材１３を、図３２（Ｂ）、図３３（Ａ）に示すように、該係合突片部１２が前記下面部端部分１１に当接するように外方にスライドさせた状態で、該スライド係合部材１３を固定手段１５によって前記下面部１０に固定可能となされている。
【００７０】
該スライド係合部材１３は本実施例においては図３２に示すように厚さが２ｍｍ程度で幅が２６ｍｍ程度の細長な長方形板状を呈しており、その長手中央線に沿って長く延長し且つ長方形の一方の短辺１４１で開口する切欠長孔１４２が設けられている。該切欠長孔１４２には、前記アジャスター１３０を構成する調整ネジ軸１３２と、該調整ネジ軸１３２と所要間隔を置いて配置された、前記固定手段１５を構成する固定ネジ軸１４５が挿通されている。該調整ネジ軸１３２と該固定ネジ軸１４５は、前記連結片４９にビス１４６で固定された固定板１４７に設けられたナット１３１，１５０に螺合されている。該固定ネジ軸１４５が緩められた状態で、前記スライド係合部材１３が前記下面部１０の長さ方向でスライドできる。そして、前記係合突片部１２が前記下面部１０の外端１５１から例えば５ｍｍ程度突出した状態で前記固定ネジ軸１４５（図３３）を締め付けることにより、該スライド係合部材１３を該下面部１０に固定できる。本実施例においては前記調整ネジ軸１３２と前記固定ネジ軸１４５の双方が前記切欠長孔１４２を挿通するため、該スライド係合部材１３の回り止めを図りつつ該スライド係合部材１３を確実にスライドさせることができる。
【００７１】
図１〜２は、前記間仕切り用パネル２を連結してローパーティション１６（図８〜１０）の直線状間仕切り部１５２を構成するに際して間仕切り用パネル２，２相互を連結する施工の基本工程を示している。同図においては、パネル幅が１０００ｍｍであって、第１の係合部５を有する前記係合部材６が突設されてなる前記間仕切り用パネル（前記第１の間仕切り用パネル２ａに相当するパネルであって、図１で２Ａとも表示されている）と、パネル幅が４５０ｍｍであって前記第２の係合部７と前記係合解除部９とが設けられてなる間仕切り用パネル（前記第２の間仕切り用パネル２ｂに相当する）２を連結する施工要領が示されている。なお図１においては、パネル幅が１０００ｍｍである間仕切り用パネル２Ａには、パネル幅が４５０ｍｍである間仕切り用パネル（右端の間仕切り用パネル）２が既に連結されている。
【００７２】
先ず図１に矢印で示すように、前記第２の間仕切り用パネル２ｂの前記第２の係合部７を前記第１の間仕切り用パネル２ａの前記第１の係合部５に向けて横方向で前進（前記相対的前進の一態様）させる。この前進により、該第１の間仕切り用パネル２ａに固定されてなる前記柱部材２２に突設されている前記係合部材（即ち、前記連結縦側部３ａに突設されている係合部材）６に設けられている前記第１の係合部５が、前記第２の間仕切り用パネル２ｂの連結縦側部３ｂに設けられている前記第２の係合部７に前記横方向で分離不能に係合し、図２３に示すように第１、第２の間仕切り用パネル２ａ，２ｂの前記連結縦側部３ａ，３ｂ相互が連結される。本実施例においては、前記係合部材６と前記固定台座部２３が略同高さにあって該係合部材６が該固定台座部２３の側方に位置しているため、該係合部材６が設けられている部分の剛性が高く、従って、前記第１の間仕切り用パネル２ａの前記連結縦側部３ａに固定されている前記柱部材２２を前記連結の際に撓み変形させにくく、該連結を安定状態で容易に行うことができる。
【００７３】
前記連結縦側部３ａに対する前記柱部材２２の固定は、前記固定台座部２３を介さずに行うことも可能ではあるが、前記固定台座部２３を介する方が、該柱部材２２を前記連結縦側部３ａに、より安定的に固定できて好ましい。そしてこのことは、前記のように、間仕切り用パネル２，２の前記連結縦側部３，３相互の連結をより安定状態で行うことを可能とするのである。
【００７４】
前記連結縦側部３，３相互をこのように連結した後、図３２（Ｂ）、図３３（Ａ）に示すように、前記一方の間仕切り用パネル（本実施例においては前記第２の間仕切り用パネル）２ｂの下面部１０に設けられている前記スライド係合部材１３を、前記係合突片部１２が前記第１の間仕切り用パネル２ａの下面部端部分１１に当接するように、外方にスライドさせる。このスライド係合部材１３は目視不能であるため、構成されたローパーティション１６の見栄えが該スライド係合部材１３の露出によって損われる恐れがない。又、悪戯によって該スライド係合部材１３の該当接による係合状態が解除されてしまう恐れもない。図２は、かかる連結施工によって３枚の間仕切り用パネル２，２，２を直線状に連結して構成された直線状間仕切り部１５２を示している。
【００７５】
次に、かかる直線状間仕切り部１５２を分解する施工の基本工程を説明する。先ず図２に矢印で示すように、左端の前記間仕切り用パネル（前記第２の間仕切り用パネル）２ｂを持ち上げて、図３，図６に示すように、前記係合部材６に設けられている前記第１の係合部５を、該左端の間仕切り用パネル２ｂの前記係合解除部９に位置させる。この状態で図３、図６に矢印で示すように、左端の間仕切り用パネル（前記第２の間仕切り用パネル）２ｂを左方に移動させると、該間仕切り用パネル２ｂを、これに連結されていた前記第１の間仕切り用パネル２ａから分離できる。その後図４に矢印で示すように、中央の間仕切り用パネル（前記第２の間仕切り用パネル）２ｂを持ち上げて、前記右端の間仕切り用パネル２ａの係合部材６に設けられている第１の係合部５を、該中央の間仕切り用パネル２ｂの前記係合解除部９に位置させる。この状態で該中央の間仕切り用パネル２ｂを同様に左方に移動させると、該間仕切り用パネル（第２の間仕切り用パネル）２ｂを、これに連結されていた前記第１の間仕切り用パネル２ａから分離できる。これによって、前記直線状間仕切り部１５２を分解できる。
【００７６】
次に、図８に示すローパーティション１６の全体について、間仕切り用パネル２，２相互の連結部分の構成をより具体的に説明する。又、該ローパーティション１６の組み立て順序（即ち、該ローパーティション１６を構成する間仕切り用パネル２の連結の順序）、及び該ローパーティション１６を組み替えたり撤去する際における該ローパーティション１６の分解の順序（即ち、該ローパーティション１６を構成する前記間仕切り用パネル２の分離の順序）をより具体的に説明する。
【００７７】
図８〜１１において前記ローパーティション１６は、３枚の間仕切り用パネル２，２，２を直線状に連結して構成された直線状間仕切り部１５２と、該直線状間仕切り部１５２の両端部分及び中間部分において該直線状間仕切り部１５２に対して直角を呈する、１枚の間仕切り用パネル２からなる直角間仕切り部１５７，１５７，１５７とから構成されている。以下、該直線状間仕切り部１５２を構成する間仕切り用パネル２を、図８の右側から左側に向けて順に第１パネル１５９、第２パネル１６０、第３パネル１６１とする。又、該直角間仕切り部１５７を構成する間仕切り用パネル２を、図８の右側から左側に向けて順に第４パネル１６２、第５パネル１６３、第６パネル１６５とする。
【００７８】
前記第４パネル１６２は図３４に示すように、前記間仕切り用パネル２の一方のパネル縦縁部Ａ１に前記柱部材２２が、前記固定台座部２３を介して固定されて連結縦側部３ａが構成されており、且つ、前記直線状間仕切り部１５２の延長方向で前記係合突出片９５が突出する如く前記係合部材６が前記縦側面部８５で突設されている。又、他方のパネル縦縁部には、前記床面１４に対する固定部（図示せず）が下端に設けられてなる端部材１６７が固定されている。該端部材１６７は、前記柱部材２２と同様構成の柱部材１６９と、その外側部を覆うカバー部材１７０とを用いて構成されている。
【００７９】
前記第１パネル１５９は図３４に示すように、前記第４パネル１６２の前記係合部材６と対向する一方の連結縦側部３ｂに、前記第２の係合部７と前記係合解除部９が設けられている。又その他方の連結縦側部３ａは、前記パネル縁部Ａ１に前記固定台座部２３を介して固定された前記柱部材２２を以て構成されており、該柱部材２２に、前記直線状間仕切り部１５２の延長方向で前記係合突出片９５が突出する如く前記係合部材６が前記縦側面部８５で突設されている。又図１１、図３２に示すように、その下面部１０の、前記係合解除部９が存する側で前記スライド係合部材１３が設けられている。
【００８０】
前記第２パネル１６０は図３４に示すように、前記第１パネル１５９の前記係合部材６と対向する一方の連結縦側部３ｂに、前記第２の係合部７と前記係合解除部９が設けられている。又図３５に示すように、その他方の連結縦側部３ａに、前記柱部材２２が前記固定台座部２３を介して固定されている。そして、前記直線状間仕切り部１５２の延長方向で突出する如く、且つ、前記第５パネル１６３が構成する前記直角間仕切り部１５７の延長方向で突出する如く、前記係合部材６が前記縦側面部８５，８５で突設されている。又図１１、図３２に示すように、その下面部１０の、前記係合解除部９が存する側で前記スライド係合部材１３が設けられている。
【００８１】
前記第３パネル１６１は図３５に示すように、前記第２パネル１６０の、前記直線状間仕切り部１５２の延長方向で突出する前記係合部材６と対向する一方の連結縦側部３ｂに、前記第２の係合部７と前記係合解除部９が設けられている。そして、その他方の連結縦側部３ａは、前記固定台座部２３を介して前記パネル縦縁部Ａ１に固定された前記柱部材２２を以て構成されており、該柱部材２２に、前記直角間仕切り部１５７の延長方向に向けて突出する如く前記係合部材６が前記縦側面部８５で突設されている。又図１１に示すように、その下面部１０の、前記係合解除部９が存する側で前記スライド係合部材１３が設けられている。
【００８２】
前記第５パネル１６３は図３５に示すように、前記直角間仕切り部１５７を構成するものであり、前記第２パネル１６０の前記係合部材６と対向する一方の連結縦側部３ｂに、前記第２の係合部７と前記係合解除部９が設けられている。又図１１に示すように、その下面部１０の、前記係合解除部９が存する側で前記スライド係合部材１３が設けられている。前記第６パネル１６５は図３５に示すように、前記第５パネル１６３と同一の構成を有している。
【００８３】
本実施例においては、該第５パネル１６３と該第６パネル１６５の他方の連結縦側部３ｂには、図８、図３５に示すように、前記上のパネル枠６３におけると同様に、その外開放溝５２を覆い隠すために前記と同様構成のスライドカバー部材６７が装着されている。又本実施例においては、前記の各柱部材２２の上端１７１は、図１５〜１６、図２４、図３６〜３７に示すように、前記間仕切り用パネル２ａ，２ｂの上端１７２の若干下側に位置していて上の段差部１７３が設けられると共に、前記柱部材２２の下端１３６は前記間仕切り用パネル２の下端１７５の若干上側に位置していて下の段差部１７６が設けられている。
【００８４】
そして該上下の段差部１７３，１７６には、図３６、図３８に示すように、前記上下のコーナー部材８１，８１（図２１）と、上下のカバー部材１７７，１３７が装着され、前記柱部材２２の前記上端１７１と前記下端１３６は該上下のカバー部材１７７，１３７で覆われている。図３７には上下のカバー部材１７７，１３７が例示されている。該上下のカバー部材１７７，１３７は、上のカバー部材１７７に代表させて図３８に示すように、前記上下の段差部分１７３，１７６を密接状態で埋めることによって、前記間仕切り用パネル２，２相互が屈曲するのを防止し、パネル相互の連結部分１７８の安定性向上に寄与する。
【００８５】
又図３６に示すように、該上のカバー部材１７７の上面１７９は前記間仕切り用パネル２の上端１７２と面一であり、前記柱部材２２の下端１３６を覆う該下のカバー部材１３７の下面１３９は前記間仕切り用パネル２の下端１７５と面一で、前記したように、前記スライド係合部材１３の係合突片部１２が当接し得る前記下面部端部分１１を構成している。
【００８６】
又図３４〜３５に示すように、前記第３パネル１６１の前記柱部材２２の側面部１８０と前記第４パネル１６２の前記柱部材２２の側面部１８１はＬ字状カバー片１８２で覆われている。
【００８７】
次に、かかる構成を有するローパーティション１６を組み立てる施工工程を説明する。図８、図３４において、先ず、前記第４パネル１６２を床面１６６で立設すると共に、該第４パネル１６２の他方の連結縦側部３ｂの下端に設けられている前記固定部をビス等によって床面１６６に固定する。
【００８８】
次に図８〜図１０、図３４の右側部分に示すように、前記第１パネル１５９の連結縦側３ｂと前記第４パネル１６２の前記連結縦側部３ａを前記第１、第２の係合部５，７の前記係合によって連結する。この連結は、図３４の右側部分に示すように、該第１パネル１５９の前記連結縦側部３ｂに設けられている前記第２の係合部７を、前記第４パネル１６２に前記柱部材２２を介して突設されている前記係合部材６に対して前進させ、前記第１、第２の係合部５，７相互を前記横方向で分離不能に係合させることによって行う。その後、前記固定ネジ軸１４５（図３３）が緩められた状態で前記スライド係合部材１３を図９、図３２（Ｂ）、図３３（Ａ）に示すように外方向（図９の右方向）にスライドさせ、その係合突片部１２を図３３（Ａ）に示すように前記第４パネル１６２の下面部端部分１１に当接させる。この当接状態で、前記固定ネジ軸１４５を締め付けて該スライド係合部材１３を前記下面部１０に固定し、該スライド係合部材１３の不用意なスライドを防止する。これによって前記第１パネル１５９の浮き上がりが阻止される。
【００８９】
次に図３４の左側部分に示すように、前記第１パネル１５９と前記第２パネル１６０の前記連結縦側部３ａ，３ｂ相互を前記第１、第２の係合部５，７の前記係合によって連結する。その後前記と同様にして、該第２パネル１６０に設けられている前記スライド係合部材１３を図９に示すように外方向にスライドさせることによって、その係合突片部１２を該第１パネル１５９の下面部端部分１１に当接させ、該スライド係合部材１３を前記下面部１０に固定する。これによって該第２パネル１６０の浮き上がりを阻止する。
【００９０】
次に図３５の右側部分に示すように、前記第２パネル１６０と前記第３パネル１６１の前記連結縦側部３ａ，３ｂ相互を前記第１、第２の係合部５，７の前記係合によって連結する。この際に用いる前記第１の係合部５は、前記係合突出片９５が前記直線状間仕切り部１５２の延長方向に突出するものである。その後前記と同様にして、該第３パネル１６１に設けられている前記スライド係合部材１３を図９に示すように外方向にスライドさせることによって、その係合突片部１２を該第２パネル１６０の下面部端部分１１に当接させ、前記と同様にして該スライド係合部材１３を前記下面部１０に固定する。これによって該第３パネル１６１の浮き上がりを阻止する。
【００９１】
次に図３５に示すように、前記第２パネル１６０と前記第５パネル１６３の前記連結縦側部３ａ，３ｂ相互を前記第１、第２の係合部５，７の前記係合によって連結する。この際に用いる前記第１の係合部５は、前記係合突出片９５が、前記直角間仕切り部１５７の延長方向に突出するものである。この連結によって該第５パネル１６３が、前記第２パネル１６０と前記第３パネル１６１の直線状の連結部分１６４に対して、平面視でＴ字状を呈して連結された状態となる。その後前記と同様にして、該第５パネル１６３に設けられている前記スライド係合部材１３を図９に示すように外方向にスライドさせることによって、その係合突片部１２を該第２パネル１６０の下面部端部分１１に当接させ、該スライド係合部材１３を前記と同様にして前記下面部１０に固定する。これによって該第５パネル１６３の浮き上がりを阻止する。
【００９２】
最後に図３５に示すように、前記第３パネル１６１と前記第６パネル１６５の前記連結縦側部３ａ，３ｂ相互を前記第１、第２の係合部５，７の前記係合によって連結する。その後前記と同様にして、該第６パネル１６５に設けられている前記スライド係合部材１３を図９に示すように外方向にスライドさせることによって、その係合突片部１２を該第３パネル１６１の下面部端部分１１に当接させ、該スライド係合部材１３を前記と同様にして前記下面部１０に固定する。これによって該第６パネル１６５の浮き上がりを阻止する。
【００９３】
このように連結した後、前記上下のコーナー部材８１，８１、上下のカバー部材１７７，１３７の装着、前記Ｌ字状カバー片１８２の装着を行えば、見栄えの良い強度的安定性に優れるローパーティション１６（図８）を構成できることとなる。
【００９４】
次に、かかる構成を有するローパーティション１６を例えば移設のために分解する施工工程を説明する。この分解は、例えば前記組み立ての順序と逆の順序で行うことができる。この分解は図６に基づいて説明したように、先ず、前記係合突片部１２と前記下面部端部１１との係合が解除されるように前記スライド係合部材１３を内方向にスライドさせる。その後、前記間仕切り用パネル２の所要の持ち上げによって、前記第１の係合部５を前記係合解除部９に位置させれば、前記間仕切り用パネル２を順次分離でき、これによって前記ローパーティション１６を分解できる。
【実施例２】
【００９５】
本発明は、前記実施例で示したものに限定されるものでは決してなく、「特許請求の範囲」の記載内で種々の設計変更が可能であることはいうまでもない。その一例を挙げれば次のようである。
【００９６】
(1) 前記第１の係合部５と前記２の係合部７の構成は、該第１の係合部５が該第２の係合部７に向けて前記横方向で相対的に前進するに伴い該第１の係合部５及び／又は該第２の係合部７が弾性変形し、その後における該第１の係合部５の弾性復帰作用によって該第１の係合部５と該第２の係合部７とが前記横方向で分離不能に係合できるものであれば各種に構成できる。ここに該第１の係合部５及び／又は該第２の係合部７が弾性変形するとは、該第１の係合部５又は該第２の係合部７が弾性変形することの他、その双方が弾性変形することを含むものである。
【００９７】
(2) 図３９は前記第１の係合部５と前記第２の係合部７の他の態様を示すものであり、該第１の係合部５を、首部１８４の先端の対向側に係合段差面１８５，１８５を介して、横断面三角形状を呈する膨出部１８６が設けられたものとして構成する一方、該第２の係合部７を、該膨出部１８６と弾性的に係脱し得る、上下に延長する溝部１８７を構成する１対の挟持片１８９，１８９を以って構成した場合を示すものであり、該１対の挟持片１８９，１８９の夫々の先端部には係合突部１９０が設けられている。該係合突部１９０は、先端１９１に向けて先細化すると共に、前記係合段差面１８５と当接し得る係合面１９２が設けられている。
【００９８】
前記第１の係合部５と前記第２の係合部７をこのように構成したときは、前記第１の係合部５を前記第２の係合部７に対して前記横方向で相対的に前進させ、図４０（Ａ）に示すように、前記膨出部１８６を前記溝部１８７内に押し込む。これによって図３９（Ａ）に示すように、前記係合突部１９０が、前記先端１９が前記膨出部１８６の傾斜面１９３に擦られつつ前記首部１８４に向けて移動するのであるが、この際、前記両挟持片１８９，１８９が逆方向に弾性変形する。そして最終的には図３９（Ｂ）に示すように、前記係合突部１９０が前記係合溝部１９５，１９５に嵌まる。これによって、前記係合面１９２が前記係合段差面１８５と当接状態に係合できる。前記第１の係合部５と前記第２の係合部分７とがこのように係合することによって、前記第１の間仕切り用パネル２ａと前記第２の間仕切り用パネル２ｂの前記連結縦側部３ａ，３ｂ相互が連結されることとなる。
【００９９】
図４０は、前記第１の係合部５と前記第２の係合部７を、図３９で示した場合と逆に構成した場合を示すものであり、前記第２の係合部７が前記と同様構成の膨出部１８６を上下方向に延長して有し、前記第１の係合部５が前記と同様構成の挟持片１８９，１８９を有している。この場合も前記と同様にして、該第１の係合部５と該第２の係合部分７とが係合して、前記第１の間仕切り用パネル２ａと前記第２の間仕切り用パネル２ｂの前記連結縦側部３ａ，３ｂ相互が連結されることとなる（図４０（Ｂ））。
【０１００】
(3) 前記係合部材６が、前記第１の間仕切り用パネル２ａの前記パネル縦縁部Ａ１に、前記固定台座部２３を介して固定される柱部材２２に突設される場合において、該パネル縦縁部Ａ１に対しての該柱部材２２の固定手段は、前記連結縦側部３ａ，３ｂ相互を分離する際に前記第１、第２の間仕切り用パネル２ａ，２ｂの何れか一方をその他方に対して所要高さに持ち上げて該第１、第２の係合部５，７の係合を解除できるように該柱部材２２を該連結縦側部３ａと一体化状態となし得るのであれば、例えば、図３６、図１５に示すように嵌着された前記上下のコーナー部材８１，８１による該柱部材２２の保持手段によってもよい。
【０１０１】
(4) 第１、第２の間仕切り用パネル２ａ，２ｂの前記連結縦側部３ａ，３ｂ相互が連結された状態において、図１、図１５においては前記係合解除部９を前記第１の係合部５の直下に位置させているが、図４１に示すように、該係合解除部９を該第１の係合部５の直上に位置させてもよい。この場合も、該第１の係合部５を有する第１の間仕切り用パネル２ａを該係合解除部９を有する該第２の間仕切り用パネル２ｂに対して所要高さに持ち上げれば、図４２に示すように、該第１の係合部５を該係合解除部９に位置させて該第１、第２の間仕切り用パネル２ａ，２ｂを分離できる。
【０１０２】
(5) 図４３は、係合部材６が前記連結縦側部３ａに突設されてなる場合の他の態様を  示すものであり、該連結縦側部３ａを構成する前記パネル枠材２１は、図１４に示す前記パネル枠材２１における前記外開放溝５２をカバー片部１９６で一体に覆うことによって該外開放溝５２が省略された構成を有している。該係合部材６は前記と同様の構成を有しており、基板９２の外面９３の両側寄り部位において、平行して突出する係合突出片９５，９５が設けられている。そして本実施例においては該係合部材６が、該基板９２の長手中心線を前記カバー片部１９６の外面９３の長手中心線に合致させて該基板９２を該外面９３に当接させ且つ該基板９２を該カバー片部１９６にビス１０６で固定することによって、該係合部材６を前記連結縦側部３ａに突設している。
【０１０３】
(6) 前記係合部材６の上下長さは、前記実施例においては１５０ｍｍ程度に設定されているが、例えば５０ｍｍ程度と短く設定してもよい。このように短く設定すれば、該係合部材６の有する第１の係合部５を前記係合解除部９に位置させる際の間仕切り用パネル２ａの持ち上げ量を５０ｍｍ程度と小さくすることも可能である。
【０１０４】
又、前記第１、第２の間仕切り用パネル２ａ，２ｂの上下長さは、前記ローパーティション１６にあっては１１００ｍｍに設定されているが、ハイパーティションにあっては、１８００〜２１００ｍｍに設定される。そのため、前記係合部材６の上下長さやその使用個数は、前記第１、第２の間仕切り用パネル２ａ，２ｂの必要な連結強度を考慮して所要に設定されるものである。例えば、前記係合部材６の上下長さをより長く形成したり、該係合部材６の使用個数をより多くすることによって、前記第１、第２の間仕切り用パネル２ａ，２ｂの連結強度をより高めることができる。又係合部材６は、これが比較的長い場合は１個のこともある。
【０１０５】
(7) 前記スライド係合部材１３を前記下面部１０に固定する固定手段１５は、前記した固定ネジ軸１４５を用いて行うことの他、バネ部材の付勢作用を利用する等の各種公知手段を用いて行うことができる。
【０１０６】
又、該スライド係合部材１３をスライドさせる構成は、前記切欠長孔１４２を設けて構成することの他、図４４に示すように周方向で閉じた長孔１８７を設けて構成することもできる。
【０１０７】
又、前記スライド係合部材１３をスライド可能とする構成は、例えば図４５に示すように、該スライド係合部材１３の両側部分１９７，１９７を対向ガイド溝１９９，１９９に嵌め合わせて行ってもよい。
【０１０８】
又、前記スライド係合部材１３が前記下面部１０の長さ方向でスライドするとは、該スライド係合部材１３が該下面部１０に接した状態でスライドするものには限られず、該スライド係合部材１３が該下面部１０から稍浮いた状態でスライドするものであってもよい。
【０１０９】
(8) 前記スライド係合部材１３は図４６に示すように、前記パネル縦縁部Ａに前記柱部材２２が固定されてなる場合において、該柱部材２２が存する側の前記下面部１０に設けられることもある。この場合は、該スライド係合部材１３は、前記係合突片部１２が、該柱部材２２の縁部２００を越えて突出するようにスライドさせる。
【０１１０】
(9) 前記スライド係合部材１３は、前記間仕切り用パネル２の下面部１０の両側部分に個別に設けてもよい。
【０１１１】
(10)前記固定台座部２３は、前記したように前記係合部材６と同様に構成することの他、前記柱部材２２を連結縦側部３に固定する際の支えとなり得るものであれば各種形態のものとして構成できる。
【０１１２】
(11)図４７は、前記柱部材２２を前記パネル縦縁部Ａ１にビス１２０で固定する他の態様を示すものであり、前記係合部材６と前記固定台座部２３が同長さで、前記柱部材２２の同高さ位置に配設されている場合において、該固定台座部２３の上端２０１の稍上側部位及び、該固定台座部２３の下端２０２の稍下側部位において、該柱部材２２のみに前記ビス挿通孔１１９を設け、該ビス挿通孔１１９を挿通したビス１２０を前記パネル枠６３の前記連結片４９にねじ込むことによって、該柱部材２２を前記パネル縦縁部Ａ１に固定した状態を示している。前記係合部材６は、その長さが前記固定台座部２３よりも短く設定され且つ、該固定台座部２３の上下端２０１、２０２から突出しないように配置されることもある。
【０１１３】
(12)前記ローパーティション１６の分解手順は、これを構成する間仕切り用パネルの  転倒を防止して安全に分解できるのであれば前記した手順には限られない。このことはハイパーティション等の各種間仕切りの分解においても同様である。
【０１１４】
(13)前記間仕切り用パネル２を構成するパネル枠材２１は、アルミニウム合金製の他  、樹脂製等とされることもある。
【符号の説明】
【０１１５】
１  パネル連結装置
２  間仕切り用パネル
３  連結縦側部
５  第１の係合部
６  係合部材
７  第２の係合部
９  係合解除部
１０  下面部
１１  下面部端部分
１２  係合突片部
１３  スライド係合部材
１５  固定手段
２１  パネル枠材
２２  柱部材
２３  固定台座部
６３  パネル枠
６５  パネル枠体
６７  スライドカバー部材
８１  コーナー部材
８５  縦側面部
９５  係合突出片
９６  係合突部
１０６  ビス
１３２  調整ネジ軸
１３７  下のカバー部材
１４５  固定ネジ軸
１５２  直線状間仕切り部
１５７  直角間仕切り部
１７３  上の段差部分
１７６  下の段差部分
１７７  上のカバー部材
【図１】
2019065544.tif 000003
【図２】
2019065544.tif 000004
【図３】
2019065544.tif 000005
【図４】
2019065544.tif 000006
【図５】
2019065544.tif 000007
【図６】
2019065544.tif 000008
【図７】
2019065544.tif 000009
【図８】
2019065544.tif 000010
【図９】
2019065544.tif 000011
【図１０】
2019065544.tif 000012
【図１１】
2019065544.tif 000013
【図１２】
2019065544.tif 000014
【図１３】
2019065544.tif 000015
【図１４】
2019065544.tif 000016
【図１５】
2019065544.tif 000017
【図１６】
2019065544.tif 000018
【図１７】
2019065544.tif 000019
【図１８】
2019065544.tif 000020
【図１９】
2019065544.tif 000021
【図２０】
2019065544.tif 000022
【図２１】
2019065544.tif 000023
【図２２】
2019065544.tif 000024
【図２３】
2019065544.tif 000025
【図２４】
2019065544.tif 000026
【図２５】
2019065544.tif 000027
【図２６】
2019065544.tif 000028
【図２７】
2019065544.tif 000029
【図２８】
2019065544.tif 000030
【図２９】
2019065544.tif 000031
【図３０】
2019065544.tif 000032
【図３１】
2019065544.tif 000033
【図３２】
2019065544.tif 000034
【図３３】
2019065544.tif 000035
【図３４】
2019065544.tif 000036
【図３５】
2019065544.tif 000037
【図３６】
2019065544.tif 000038
【図３７】
2019065544.tif 000039
【図３８】
2019065544.tif 000040
【図３９】
2019065544.tif 000041
【図４０】
2019065544.tif 000042
【図４１】
2019065544.tif 000043
【図４２】
2019065544.tif 000044
【図４３】
2019065544.tif 000045
【図４４】
2019065544.tif 000046
【図４５】
2019065544.tif 000047
【図４６】
2019065544.tif 000048
【図４７】
2019065544.tif 000049
【図４８】
2019065544.tif 000050
【図４９】
2019065544.tif 000051
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
立設状態にある第１の間仕切り用パネルの、上下方向に延長するパネル縦縁部に設けられた連結縦側部と、立設状態にある第２の間仕切り用パネルの、上下方向に延長するパネル縦縁部に設けられた連結縦側部とを横方向で連結するパネル連結装置であって、
前記第１の間仕切り用パネルの前記連結縦側部には、その所要高さ部位に第１の係合部を有する係合部材が突設されており、
前記第２の間仕切り用パネルの前記連結縦側部には、該係合部材の有する該第１の係合部と係合し得る第２の係合部が上下方向に延長して設けられると共に、該第２の係合部が設けられておらず前記第１の係合部との係合を不能とする係合解除部が設けられており、  
前記第１の係合部が前記第２の係合部に向けて前記横方向で相対的に前進するに伴い該第１の係合部及び／又は該第２の係合部が弾性変形し、その後における、該弾性変形した部分の弾性復帰作用によって該第１の係合部と該第２の係合部とが前記横方向で分離不能に係合でき、これによって前記第１、第２の間仕切り用パネル相互が前記連結縦側部で連結される如くなされており、
又、前記第２の間仕切り用パネルを前記第１の間仕切り用パネルに対して所要高さに持ち上げて前記第１の係合部を前記係合解除部に位置させることにより、前記第１、第２の係合部の係合が解除されて該第１の間仕切り用パネルと該第２の間仕切り用パネルとを分離可能となされており、
前記第２の間仕切り用パネルの下面部の内の前記係合解除部が存在する側には、前記第１の間仕切り用パネルの下面部の内の下面部端部分にのみ当接し得る係合突片部を具えるスライド係合部材が、第２の間仕切り用パネルの前記下面部の長さ方向でスライド可能に設けられており、該スライド係合部材を、該係合突片部が該下面部端部分に当接するように外方にスライドさせた状態で、該スライド係合部材を固定手段によって該下面部に固定可能となされ、該係合突片部が該下面部端部分に当接された状態で、該一方の間仕切り用パネルの持ち上げが不能となされており、
前記当接による係合が解除されるように前記スライド係合部材を内方にスライドさせた状態で、前記第１の係合部を前記係合解除部に位置させることができるように前記第２の間仕切り用パネルを持ち上げ可能となされていることを特徴とするパネル連結装置。
【請求項２】
前記係合部材は、前記第１の間仕切り用パネルの前記パネル縦縁部に固定台座部を介して固定される柱部材に突設されており、該柱部材は、平面視で正方形状を呈する四つの縦側面部を有し、該四つの縦側面部の内の一つに前記固定台座部が固定されており、残余の縦側面部の内の少なくとも一つに前記係合部材が突設されており、前記柱部材を上下方向にして見たときに該係合部材が前記固定台座部と略同高さ位置に設けられていることを特徴とする請求項１記載のパネル連結装置。
【請求項３】
上下方向に延長する左右のパネル縦縁部の夫々に連結縦側部が設けられてなる間仕切り用パネルであって、左右何れか一方の連結縦側部には、その所要高さ部位に、第１の係合部を有する係合部材が突設されており、
他方の連結縦側部には、該間仕切り用パネルに連結される別の間仕切り用パネルに同様に設けられている前記第１の係合部と係合し得る第２の係合部が上下方向に延長して設けられると共に、該第２の係合部が設けられておらず前記第１の係合部との係合を不能とする係合解除部が設けられており、
前記係合部材は、前記第１の係合部が、該間仕切り用パネルに連結される別の間仕切り用パネルに同様に設けられている前記第２の係合部に向けて横方向で相対的に前進するに伴い該第１の係合部が弾性変形し、その後における該第１の係合部の弾性復帰作用によって該第１の係合部が該第２の係合部と前記横方向で分離不能に係合でき、
又、該間仕切り用パネルの下面部の内の前記係合解除部が存在する側には、該間仕切り用パネルに連結される別の間仕切り用パネルの下面部の内の下面部端部分にのみ当接し得る係合突片部を具えるスライド係合部材が、該下面部の長さ方向でスライド可能に設けられており、該スライド係合部材を、該間仕切り用パネルの係合突片部が前記下面部端部分に当接するように外方にスライドさせた状態で、該スライド係合部材を固定手段によって前記下面部に固定可能となされていることを特徴とする間仕切り用パネル。
【請求項４】
横方向で連結される前記連結縦側部の内の一方の連結縦側部は、上下方向に延長する前記パネル縦縁部に、固定台座部を介して柱部材を固定して構成されており、前記係合部材が、該柱部材に突設されており、該柱部材は、平面視で正方形状を呈する四つの縦側面部を有し、該四つの縦側面部の内の一つに前記固定台座部が固定されており、残余の縦側面部の少なくとも一つに前記係合部材が突設されており、前記柱部材を上下方向にして見たときに該係合部材が前記固定台座部と略同高さ位置に設けられていることを特徴とする請求項３記載の間仕切り用パネル。
【手続補正２】
【補正対象書類名】明細書
【補正対象項目名】全文
【補正方法】変更
【補正の内容】
【発明の詳細な説明】
【技術分野】
【０００１】
本発明は、ローパーティション等としての間仕切りを構成するに際して、間仕切り用パネル相互を連結するパネル連結装置に関するものであり、又該パネル連結装置を構成する間仕切り用パネルに関するものである。
【背景技術】
【０００２】
ローパーティション等としての間仕切りを構成するに際して、間仕切り用パネル相互を連結するパネル連結装置の一例としては、例えば特許文献１が開示する連結装置が提案されている。該パネル連結装置は、パネルを直線状やＬ字状、十字状に連結する施工を、パネル連結部の上端に上連結金具を取り付けると共にパネル連結部の下端に下連結金具を取り付けて行うものであった。
【０００３】
図４８は、かかるパネル連結装置ａ１の一例を示すものであり、パネルｂ，ｂを直線状に連結する場合を示している。該連結に使用する上連結金具ｃと下連結金具ｄはプレート状を呈しており、両先端に係止ツメｅ，ｅが設けられていた。そしてパネル相互の連結に際しては、該係止ツメｅ，ｅを、該パネルｂ，ｂの上面ｆ，ｆと下面ｇ，ｇの夫々に設けた係止溝ｈ，ｈに嵌合させると共に、該上連結金具ｃは、その両側部分に設けたネジ孔ｊ，ｊを挿通するネジｋ，ｋを該パネルｂ，ｂの上面ｆ，ｆにネジ止めする一方、該下連結金具ｄには、その両側部分に設けたアジャスターネジｍ，ｍを取り付ける構成を採用していた。
【０００４】
しかしながら、かかる構成を採用するパネル連結装置ａによるときはパネルｂ，ｂ相互を連結するために、前記上下連結金具ｃ，ｄを用い、夫々の両先端に設けられている前記係止ツメｅ，ｅをパネルｂに設けた前記係止溝ｈ，ｈに位置合わせして嵌合させる必要があり、且つ、上連結金具ｃをパネルｂにネジ止めする必要があり、下連結金具ｄにはアジャスターネジｍ，ｍを取り付ける必要があった。このように該パネル連結装置ａによるときは、ネジ止め箇所が多い等によって連結施工に多くの手間を要した。特に、下連結金具ｄによってパネルｂ，ｂ相互を連結する作業は、パネル連結部分を目視できない状態での連結作業となるために、前記係止ツメｅ，ｅを前記係止溝ｈ，ｈに位置合わせして嵌合させる作業は、上連結金具ｃによってパネルｂ，ｂ相互を連結する場合に比して難しかった。かかることから該パネル連結装置によるときは、パネルの連結施工に多くの手間と時間を要して施工性が悪い問題があった。
【０００５】
又、間仕切りの組み替えを行う場合は、前記のようにネジ止め箇所が多い等によって、連結金具ｃ，ｄを取り外すに際して多くのネジを外す必要があり、又、パネルｂの再組み立てに際しては前記のようにネジ止め箇所が多いことによって、間仕切りの組み替え作業に多くの手間と時間を要して施工性が悪い問題があった。
【０００６】
パネル連結装置の他の例としては、特許文献２記載のものが提案されている。該パネル連結装置ａ２は図４９に示すように、支柱ｎの外部に突出した連結具ｐの対向する連結片ｑ，ｑを、該支柱ｎの長孔ｒ，ｒと、連結される間仕切りパネルｓ，ｓの連結孔ｔ，ｔに挿入し、該連結具ｐの上部溝部ｕ側の接続部上端と間仕切りパネルｓの連結孔端部とが接触するように該間仕切りパネルｓを上部溝部ｕに嵌め込む。これによって間仕切りパネルｓを支柱ｎに取り付けるものであった。
【０００７】
しかしながら、かかるパネル連結装置によるときは、前記連結片ｑ，ｑを、連結される間仕切りパネルｓ，ｓの連結孔ｔ，ｔに位置合わせするためには、該長孔ｒ，ｒと該連結孔ｔ，ｔの位置を目視により正しく合致させて該連結片ｑ，ｑを、該長孔ｒ，ｒと該連結孔ｔ，ｔに挿入する必要があり、間仕切りパネルｓ，ｓ相互の連結施工に多くの手間を要して施工性が悪い問題があった。
【先行技術文献】
【特許文献】
【０００８】
【特許文献１】特開２００５−１８８１６６号公報
【特許文献２】特開平６−２３５２３８号公報
【発明の概要】
【発明が解決しようとする課題】
【０００９】
本発明は、立設状態にある間仕切り用パネル相互の連結を簡易且つ確実に行うことができると共に、間仕切りの組み替えを行う場合には間仕切り用パネルの分離を容易に行うことができるパネル連結装置の提供を課題とするものである。又、連結された間仕切り用パネルの設置状態の安定性向上を図り得るパネル連結装置の提供を課題とするものである。更に、該パネル連結装置を構成するために用いて好適な間仕切り用パネルの提供を課題とするものである。
【課題を解決するための手段】
【００１０】
前記課題を解決するため本発明は以下の手段を採用する。
即ち本発明に係るパネル連結装置の第１の態様は、立設状態にある第１の間仕切り用パネルの、上下方向に延長するパネル縦縁部に設けられた連結縦側部と、立設状態にある第２の間仕切り用パネルの、上下方向に延長するパネル縦縁部に設けられた連結縦側部とを横方向で連結するパネル連結装置であって、前記第１の間仕切り用パネルの前記連結縦側部には、その所要高さ部位に、第１の係合部を有する係合部材が突設されている。前記第２の間仕切り用パネルの前記連結縦側部には、該係合部材の有する該第１の係合部と係合し得る第２の係合部が上下方向に延長して設けられると共に、該第２の係合部が設けられておらず前記第１の係合部との係合を不能とする係合解除部が設けられている。
【００１１】
そして前記係合部材は、前記第１の係合部が前記第２の係合部に向けて前記横方向で相対的に前進するに伴い該第１の係合部及び／又は該第２の係合部が弾性変形し、その後における、該弾性変形した部分の弾性復帰作用によって該第１の係合部と該第２の係合部とが前記横方向で分離不能に係合でき、これによって前記第１、第２の間仕切り用パネル相互が前記連結縦側部で連結される如くなされている。又、前記第２の間仕切り用パネルを前記第１の間仕切り用パネルに対して所要高さに持ち上げて前記第１の係合部を前記係合解除部に位置させることにより、前記第１、第２の係合部の係合が解除されて該第１の間仕切り用パネルと該第２の間仕切り用パネルとを分離可能となされている。
【００１２】
そして、前記第２の間仕切り用パネルの下面部の内の前記係合解除部が存在する側には、前記第１の間仕切り用パネルの下面部の内の下面部端部分にのみ当接し得る係合突片部を具えるスライド係合部材が、第２の間仕切り用パネルの前記下面部の長さ方向でスライド可能に設けられており、該スライド係合部材を、該係合突片部が該下面部端部分に当接するように外方にスライドさせた状態で、該スライド係合部材を固定手段によって該下面部に固定可能となされ、該係合突片部が該下面部端部分に当接された状態で、該一方の間仕切り用パネルの持ち上げが不能となされており、前記当接による係合が解除されるように前記スライド係合部材を内方にスライドさせた状態で、前記第１の係合部を前記係合解除部に位置させることができるように前記第２の間仕切り用パネルを持ち上げ可能となされていることを特徴とするものである。
【００１３】
本発明に係るパネル連結装置の第２の態様は、前記第１の態様において、前記係合部材が、前記第１の間仕切り用パネルの前記パネル縦縁部に固定台座部を介して固定される柱部材に突設されており、該柱部材は、平面視で正方形状を呈する四つの縦側面部を有し、該四つの縦側面部の内の一つに前記固定台座部が固定されている。そして、残余の縦側面部の内の少なくとも一つに前記係合部材が突設されており、前記柱部材を上下方向にして見たときに該係合部材が前記固定台座部と略同高さ位置に設けられていることを特徴とするものである。
【００１４】
本発明に係るパネル連結装置の第３の態様は、上下方向に延長する左右のパネル縦縁部の夫々に連結縦側部が設けられてなる間仕切り用パネルであって、左右何れか一方の連結縦側部には、その所要高さ部位に、第１の係合部を有する係合部材が突設されており、他方の連結縦側部には、該間仕切り用パネルに連結される別の間仕切り用パネルに同様に設けられている前記第１の係合部と係合し得る第２の係合部が上下方向に延長して設けられると共に、該第２の係合部が設けられておらず前記第１の係合部との係合を不能とする係合解除部が設けられている。
【００１５】
前記係合部材は、前記第１の係合部が、該間仕切り用パネルに連結される別の間仕切り用パネルに同様に設けられている前記第２の係合部に向けて横方向で相対的に前進するに伴い該第１の係合部が弾性変形し、その後における該第１の係合部の弾性復帰作用によって該第１の係合部が該第２の係合部と前記横方向で分離不能に係合でき、又、該間仕切り用パネルの下面部の内の前記係合解除部が存在する側には、該間仕切り用パネルに連結される別の間仕切り用パネルの下面部の内の下面部端部分にのみ当接し得る係合突片部を具えるスライド係合部材が、該下面部の長さ方向でスライド可能に設けられており、該スライド係合部材を、該間仕切り用パネルの係合突片部が前記下面部端部分に当接するように外方にスライドさせた状態で、該スライド係合部材を固定手段によって前記下面部に固定可能となされていることを特徴とするものである。
【００１６】
本発明に係る間仕切り用パネルの第４の態様は、前記第３の態様において、横方向で連結される前記連結縦側部の内の一方の連結縦側部は、上下方向に延長する前記パネル縦縁部に、固定台座部を介して柱部材を固定して構成されており、前記係合部材が、該柱部材に突設されており、該柱部材は、平面視で正方形状を呈する四つの縦側面部を有し、該四つの縦側面部の内の一つに前記固定台座部が固定されており、残余の縦側面部の少なくとも一つに前記係合部材が突設されており、前記柱部材を上下方向にして見たときに該係合部材が前記固定台座部と略同高さ位置に設けられていることを特徴とするものである。
【発明の効果】
【００１７】
本発明は以下の如き優れた効果を奏する。
(1) 本発明に係るパネル連結装置によるときは、立設状態にある間仕切り用パネル相互の連結を、前記第１の係合部を前記第２の係合部に向けて前記横方向で相対的に前進させて押し込み操作するだけで容易に行うことができる。従って本発明によるときは、ネジ止め箇所が多い従来のパネル連結装置とは異なり、所要の間仕切りを施工性よく構成できる。
又、間仕切りの組み替えや撤去を行う際には、前記第１の間仕切り用パネルを所要高さに持ち上げて前記第１の係合部を前記係合解除部に位置させることによって、間仕切り用パネル相互を容易に分離できる。
【００１８】
(2) 本発明に係る間仕切り用パネルがその下面部にスライド係合部材を具える場合は、連結された間仕切り用パネルが不用意に持ち上げられた状態となるのを確実に防止できるため、間仕切り用パネル相互を所要に連結して構成した間仕切りの安定性向上を図り得る。
【００１９】
(3) 前記係合部材を、前記第１の間仕切り用パネルの前記パネル縁部に固定台座部を介して固定した柱部材に突設することとし、該柱部材は、平面視で正方形状を呈する四つの縦側面部を有し、該四つの縦側面部の内の一つに前記固定台座部が固定されたものとし、残余の縦側面部の内の少なくとも一つに前記係合部材を突設し、前記柱部材を上下方向にして見たときに該係合部材を前記固定台座部と略同高さ位置に設ける構成を採用する場合は、前記間仕切り用パネルを、直線状に連結できるだけでなく、平面視でＬ字状やＴ字状、十字状を呈する状態にも見栄えよく連結でき、しかも該連結を、前記柱部材を極力撓み変形させないで安定状態で行うことができる。
【図面の簡単な説明】
【００２０】
【図１】本発明に係るパネル連結装置を構成する第１、第２の間仕切り用パネルの構成を説明する正面図である。
【図２】第１、第２の間仕切り用パネルを連結した状態を示す正面図である。
【図３】第１、第２の間仕切り用パネルが連結状態において、該第２の間仕切り用パネルを分離するために該第２の間仕切り用パネルを持ち上げた状態を示す正面図である。
【図４】第２の間仕切り用パネルを第１の間仕切り用パネルと分離した状態を示す正面図である。
【図５】第１、第２の間仕切り用パネルの連結状態を示す部分拡大正面図である。
【図６】第１、第２の間仕切り用パネルが連結状態において、該第２の間仕切り用パネルを分離するために該第２の間仕切り用パネルを持ち上げた状態を示す部分拡大正面図である。
【図７】第２の間仕切り用パネルを第１の間仕切り用パネルと分離した状態を示す部分拡大正面図である。
【図８】ローパーティションの一例を示す斜視図である。
【図９】その平面図である。
【図１０】その断面図である。
【図１１】そのローパーティションを構成する間仕切り用パネルを分離した状態で示す平面図である。
【図１２】間仕切り用パネルを示す一部切欠斜視図である。
【図１３】間仕切り用パネルを示す縦断面図である。
【図１４】間仕切り用パネルを構成するパネル枠材を示す斜視図である。
【図１５】間仕切り用パネルの左右の連結縦側部を示す斜視図である。
【図１６】第２の間仕切り用パネルの連結縦側部に係合部材を突設した状態を示す斜視図である。
【図１７】第２の間仕切り用パネルの連結縦側部に係合部材を突設した状態を示す断面図である。
【図１８】直角をなすパネル枠の留継ぎ部の構成を説明する一部断面正面図である。
【図１９】間仕切り用パネルの角部分の構成を説明する斜視図である。
【図２０】上のパネル枠の外開放溝をスライドカバー部材で覆った状態を示す断面図である。
【図２１】第２の間仕切り用パネルの連結縦側部に、柱部材を介して係合部材を突設する構成を示す斜視図である。
【図２２】その側面図と、柱部材の構成を説明する正面図である。
【図２３】第１、第２の間仕切り用パネルを直線状に連結した状態を示す断面図である。
【図２４】第２の間仕切り用パネルの連結縦側部に、柱部材を介して係合部材を突設した状態を示す部分断面図である。
【図２５】第２の間仕切り用パネルの連結縦側部に、固定台座部を介して柱部材を固定する要領を説明する説明図である。
【図２６】第１、第２の間仕切り用パネルを、平面視でＬ字状を呈する如く連結した状態を示す断面図である。
【図２７】第１、第２の間仕切り用パネルを、平面視でＴ字状を呈する如く連結した状態を示す断面図である。
【図２８】第１、第２の間仕切り用パネルを、平面視で十字状を呈する如く連結した状態を示す断面図である。
【図２９】第１、第２の間仕切り用パネルを、平面視で直線状を呈する如く連結する要領を説明する断面図である。
【図３０】係合解除部の構成を、該係合解除部に第１の係合部を位置させた状態で示す正面図である。
【図３１】係合解除部に第１の係合部を位置させた状態を示す断面図である。
【図３２】間仕切り用パネルの下面部にスライド係合部材をスライド可能に設けた状態を示す斜視図である。
【図３３】間仕切り用パネル相互が連結された状態において、一方の間仕切り用パネルの下面部にスライド可能に設けたスライド係合部材の係合突片部が他方の間仕切り用パネルの下面部端部分に当接した状態と、該当接した状態が解除された状態を示す断面図である。
【図３４】ローパーティションのパネル連結状態の部分断面図である。
【図３５】ローパーティションのパネル連結状態の部分断面図である。
【図３６】間仕切り用パネル相互の連結部の上下部分を示す断面図である。
【図３７】間仕切り用パネル相互を直線状に連結した後に、連結部分の上下端に設けられた上下の段差部に上下のカバー部材を装着する工程を説明する斜視図である。
【図３８】上の段差部に上のカバー部材を装着した状態を示す斜視図である。
【図３９】第１、第２の係合部の他の態様をその係合作用と共に示す断面図である。
【図４０】第１、第２の係合部の他の態様をその係合作用と共に示す断面図である。
【図４１】係合解除部を第１の係合部の直上に配置した場合の一例を示す側面図である。
【図４２】第１の間仕切り用パネルを持ち上げて、第１の係合部を係合解除部に位置させた状態を示す側面図である。
【図４３】第１の間仕切り用パネルの連結縦側部に係合部材を突設した他の態様を示す断面図である。
【図４４】長孔が設けられてなるスライド係合部材を示す斜視図である。
【図４５】スライド係合部材をスライド可能とする他の構成を説明する断面図である。
【図４６】間仕切り用パネル相互が連結された状態における、スライド係合部材の他の構成を示す断面図である。
【図４７】第２の間仕切り用パネルの連結縦側部に、柱部材を介して係合部材を突設した状態の他の態様を示す部分断面図である。
【図４８】従来のパネル連結装置の一例を示す斜視図である。
【図４９】従来のパネル連結装置の他の例を示す斜視図である。
【発明を実施するための形態】
【実施例１】
【００２１】
本発明に係るパネル連結装置１は、図１に示すように、立設状態にある第１の間仕切り用パネル２（以下、符号２ａでも示す）の、上下方向に延長するパネル縦縁部Ａ（Ａ１）に設けられた連結縦側部３（以下、符号３ａでも示す）と、立設状態にある第２の間仕切り用パネル２（以下、符号２ｂでも示す）の、上下方向に延長するパネル縦縁部Ａ（Ａ２）に設けられた連結縦側部３（以下、符号３ｂでも示す）とを横方向で連結する連結装置であり、該第１の間仕切り用パネル２ａの前記連結縦側部３ａには、その所要高さ部位に、第１の係合部５を有する係合部材６が設けられている。又、前記第２の間仕切り用パネル２ｂの前記連結縦側部３ｂには、該係合部材６の有する該第１の係合部５と係合し得る第２の係合部７が上下に延長して設けられると共に、該第２の係合部７が設けられておらず前記第１の係合部５との係合を不能とする係合解除部９が設けられている。
【００２２】
そして前記係合部材６は、前記第１の係合部５が前記第２の係合部７に対して前記横方向で相対的に前進するに伴い該第１の係合部５及び／又は前記第２の係合部７が弾性変形し、その後における、該弾性変形した部分の弾性復帰作用によって該第１の係合部５と該第２の係合部７とが前記横方向で分離不能に係合でき、これによって図２、図５に示すように、前記第１、第２の間仕切り用パネル２ａ，２ｂ相互が前記連結縦側部３ａ，３ｂで連結される如くなされている。又、前記第１、第２の間仕切り用パネル２ａ，２ｂの何れか一方（本実施例においては前記第２の間仕切り用パネル２ｂ）を、図３に示すように、その他方に対して所要高さに持ち上げて前記第１の係合部５を前記係合解除部９に位置させることにより、前記第１、第２の係合部５，７の係合が解除されて、図３、図６に示すように、該第１の間仕切り用パネル２ａと該第２の間仕切り用パネル２ｂとを分離可能となされている。分離された状態を図４、図７に示している。
【００２３】
又本実施例においては図５に示すように、第２の間仕切り用パネル２ｂの下面部１０に、前記第１の間仕切り用パネル２ａの下面部端部分１１に当接し得る係合突片部１２を具えるスライド係合部材１３が、該下面部１０の長さ方向でスライド可能に設けられている。そして該スライド係合部材１３を、該係合突片部１２が前記下面部端部分１１に当接するように外方にスライドさせた状態で、該スライド係合部材１３を固定手段１５によって前記下面部１０に固定可能となされている。
【００２４】
該係合突片部１２が該下面部端部分１１に当接された状態で、前記第２の間仕切り用パネル２ｂの持ち上げが不能となる。そして、前記固定が解除されるように前記スライド係合部材１３を内方にスライドさせた状態（図６）で、前記第１の係合部５を前記係合解除部９に位置させることができるように前記一方の間仕切り用パネル２（前記第２の間仕切り用パネル２ｂ）を持ち上げ可能となされている（図３、図６）。
【００２５】
次に、前記パネル連結装置１の構成を図面に基づいてより具体的に説明するが、説明の便宜上、図２３、図２５〜２９、図３１、図３４〜３５においては、後述の柱部材２２を後述の連結縦側部３ａに固定する後述のビス１２０を省略をすると共に、各部のハッチングを省略している。
【００２６】
本発明は、例えば図８〜１１に示すローパーティション１６を床面１４上で構成するために応用されており、該ローパーティション１６を構成する隣り合う立設状態の間仕切り用パネル２，２の前記連結縦側部３，３相互が、本発明に係るパネル連結装置１を応用して連結されている。ここに図１１は、該ローパーティション１６を個々の間仕切り用パネル２に分離した図であり、図９、図１１に示されているハッチングが付された長方形状部は、前記スライド係合部材１３を示している。以下、隣り合う立設状態の間仕切り用パネル２，２の内の一方を前記した第１の間仕切り用パネル２ａとし、その他方を、前記した第２の間仕切り用パネル２ｂとする。前記間仕切り用パネル２は、図１２〜１３に示すように、矩形状板体として構成されており、対向する左右の側面部材１７，１７間に圧縮性芯材１９が介在されている。
【００２７】
前記ローパーティション１６においては、これを構成する間仕切り用パネル２のパネル高さが１１００ｍｍに設定されると共に、そのパネル幅は、図８に示すローパーティション１６にあっては４５０ｍｍと１０００ｍｍの２種類に設定されている。図８においては、中間の間仕切り用パネル２Ａのパネル幅は１０００ｍｍに設定されており、その他の間仕切り用パネル２のパネル幅は４５０ｍｍに設定されている。
【００２８】
該間仕切り用パネル２の上下左右の各縁部２０，２０，２０，２０（図１２）は、本実施例においては図１４に示すパネル枠材２１を用いて構成されている。そして図１５〜１７に示すように、上下方向に延長する縁部（前記パネル縦縁部Ａ）に設けられた左右の連結縦側部３，３の一者( パネル縦縁部Ａ１に設けられた連結縦側部３ａ) は、固定台座部２３（図１６〜１７）を介して柱部材２２を固定して構成されており、該柱部材２２に、前記第１の係合部５が設けられてなる前記係合部材６（図１６）が突設されている。一方、その他者（パネル縦縁部Ａ２に設けられた連結縦縁部３ｂ）には、図１５、図１７に示すように、前記第２の係合部７を設けて構成されている。
【００２９】
該パネル枠材２１は、所要長さに切断されて後述のパネル枠６３とされることによって、図１３、図１７に示すように、前記圧縮性芯材１９の芯材端面部２５に内端２６が当接されると共に、平行する左右の枠材側面部２７，２７には左右の前記側面部材１７，１７の縁側部分２９，２９が当接される如くなされている。前記側面部材１７は、図１３、図１７に示すように、前記圧縮性芯材１９の芯材側面部３０に当接される平板部３１の前記縁側部分２９の外縁部３２に、前記間仕切り用パネル２の厚さ方向に直角状態に屈曲されてなる屈曲片３３が形成されている。
【００３０】
そして、左右の前記枠材側面部２７，２７には、前記内端２６と反対側をなす外端３５から前記内端２６側に稍控えた部位に、前記屈曲片３３を挿入させ得るＶ字状の挿入溝部３６が、該枠材側面部２７に対して直角方向に窪むように且つ左右対向状態に設けられている。又図１４（Ｂ）に示すように、該挿入溝部３６の、前記外端３５側に存する外側の溝部内側面３７は、前記枠材側面部２７と直角をなす直角平坦面３８として形成される一方、該挿入溝部３６の、前記内端２６側に存する内側の溝部内側面３９は、該挿入溝部３６の溝幅を該挿入溝部３６の溝底４０からその開口端４１に向けてＶ字状に拡大させる傾斜平坦面４２として形成されている。
【００３１】
前記パネル枠材２１は、より詳しくは図１４（Ａ）に示すように、外端部４３の左右両側に側面部４５，４５が左右対向して設けられてなる左右対称の角筒状を呈し、例えばアルミニウム合金製の押出成形体として構成されている。
【００３２】
前記側面部材１７（図１３）は、例えば０．５ｍｍの厚さを有するスチール製の矩形状板体であって、前記平板部３１の前記四つの外縁部３２，３２，３２，３２には、図１３、図１７に示すように、前記間仕切り用パネル２の厚さ方向に直角状態に屈曲されてなる前記屈曲片３３が形成されている。
【００３３】
図１４において、左右の前記枠材側面部２７，２７は、左右の側面部４５，４５の外面（内外方向Ｆ１に延長する面）４６として構成されており、左右の該側面部４５，４５の、該内外方向Ｆ１で見た中間部位４７，４７相互は連結片４９で連結されている。そして、該連結片４９の内面側の長手方向中央線に沿ってビス保持溝５０が設けられている。
【００３４】
左右の前記側面部４５，４５の左右の内端２６，２６側の部分は、内方に開放された内開放溝５１とされており、該側面部４５，４５の該内端２６，２６が、図１３、図１７に示すように芯材端面部２５に当接される。又前記側面部４５，４５の前記外端３５，３５側の部分は、外方に開放された外開放溝５２とされている。
【００３５】
該外開放溝５２の内側面５３，５３の形態は、図１４に示すように、左右対称の屈曲面として構成されている。該内側面５３，５３は、前記内外方向Ｆ１に延びる第１の内外方向面（前記枠材側面部２７，２７と平行する面）５５，５５の先端で、左右方向Ｆ２で見て内方向に延びる第１の左右方向面５６，５６（前記枠材側面部２７，２７と直交する面）が連設され、その先端で、前記内外方向Ｆ１に延びる第２の内外方向面５７，５７が連設され、その先端で、左右方向Ｆ２で見て外方向に延びる第２の左右方向面５９，５９が連設され、その先端で、前記内外方向Ｆ１に延びる第３の内外方向面６０，６０が連設され、その先端で、前記左右方向Ｆ２で見て外方向に延びる第３の左右方向面６１，６１が連設され、その先端で、前記内外方向Ｆ１に延びる第４の内外方向面６２，６２が連設されている。
【００３６】
そして、左右の前記側面部４５，４５の外端３５，３５側の部分には、前記枠材側面部２７，２７で開口する前記挿入溝部３６，３６が設けられ、その溝底４０の溝幅は１ｍｍに設定されると共にその開口端４１の溝幅は２ｍｍに設定され、該開口端４１の溝幅は、前記屈曲片３３の肉厚（本実施例においては０．５ｍｍ）よりも大きく設定されている。そして前記挿入溝部３６の溝深さは、前記屈曲片３３の長さよりも稍大きく設定されている。
【００３７】
かかる構成を有するパネル枠材２１は、所要長さに切断されることによって上下のパネル枠６３，６３、左右のパネル枠６３，６３とされ、前記間仕切り用パネル２の矩形状パネル枠体６５を構成する。直角をなすパネル枠６３，６３相互の夫々は留継ぎされており、図１８に示すように、前記ビス保持溝５０で保持されるビス６６を用いて接合されている。そして図１３に示すように、該パネル枠体６５内には例えばペーパーコアとしての前記圧縮性芯材１９が収容され、且つ該パネル枠体６５と該圧縮性芯材１９とが、対向する前記側面部材１７，１７で所要のプレス圧で挟持状態とされることによって前記間仕切り用パネル２が構成されている。
【００３８】
図１９は、前記上のパネル枠６３の前記外開放溝５２を覆い隠すために該外開放溝５２にスライドカバー部材６７を装着した状態を示している。該スライドカバー部材６７は図１４、図２０に示すように、該外開放溝５２の開放端６９を覆うスライドカバー片７０の下面７１の左右両側で脚片７２，７２を突設してなる。該左右の脚片７２，７２は同様の構成を有しており、その先端に、図２０に示すように、左右対向する前記第２の左右方向面５９，５９の縁部分７３，７３と当接状態に係合し得る係合突部７５，７５が設けられており、該係合突部７５，７５が、向き合う該縁部分７３，７３と当接状態に係合することによって前記スライドカバー部材６７の外れが防止される。該スライドカバー部材６７は、前記外開放溝５２の一端部からスライドにより装着される。なお図１４、図２０においては、前記脚片７２，７２の、左右方向で見た外面７６，７６の中間部位において、先端部７７，７７が外方に向け屈曲されてなる係合受片７９，７９が左右方向で突設されている。該係合受片７９，７９は、後述のように、間仕切り用パネル２の角部分８０に装着されるコーナー部材８１に設けられている係合突片８２を圧入状態で受けることによって、該コーナー部材８１が該角部分８０（図１８〜１９）から脱落するのを防止する。
【００３９】
前記柱部材２２は、本実施例においては図２１〜２２、図１７に示すように、柱部材本体２４の上下端２４a ，２４ｂに上下のカバー片２８a ，２８ｂを付設して構成されている。該柱部材本体２４は、アルミニウム合金製の押出成形体を所要長さに切断して構成されており、図２１（Ｂ）に示すように、横断面外形が正方形状の角筒状を呈し、その軸線に沿って円形孔８３が連続して設けられている。そして四つの縦側面部８５，８５，８５，８５の夫々の左右の縁部８６，８６には、左右対向する係合溝８７，８７が設けられている。該係合溝８７，８７は、図１７（Ｂ）に示すように、左右の該縁部８６，８６で、外方に突出する突出片８９，８９が形成され且つ該突出片８９，８９の先端で、向き合う方向に屈曲する屈曲片９０，９０が形成されることによって設けられている。又、夫々の縦側面部８５の長手中央線に沿って位置決め溝線９１（図２１）が設けられている。
【００４０】
かかる柱部材本体２４の上下端２４ａ，２４ｂは、図２１（Ａ）、図２に示すように、前記係合溝８７の全体を覆うように前記上下のカバー片２８ａ，２８ｂで覆われており、該上のカバー片２８ａの上面３４ａと該下のカバー片２８ｂの下面３４ｂは図２１〜２２に示すように、前記軸線と直交する平坦面として形成されている。なお該上下のカバー片２８ａ，２８ｂの付設は、前記係合部材６と前記固定台座部２３を前記柱部材本体２４に装着した後に行われる。
【００４１】
そして図２１〜２２に示すように、かかる構成を有する柱部材２２の前記縦側面部８５の所要高さ部位に前記係合部材６が設けられるのであるが、この所要高さ部位は、図１５〜１６に示すように、該柱部材２２を前記固定台座部２３を介して前記連結縦側部３に固定した状態での該連結縦側部３の所要高さ部位に設定されるものである。
【００４２】
前記係合部材６は、図１７，図２１に示すように、基板９２の外面９３の両側寄り部位において、平行して突出する係合突出片９５，９５が設けられており、該両係合突出片９５，９５は、夫々、その先端外面に係合突部９６が設けられている。本実施例においては、該係合突部９６が設けられてなる一対の係合突出片９５，９５が前記第1 の係合部５を構成している。該係合突部９６は図１７（Ｂ）に示すように、その裏面９７が、前記基板９２に向け且つ左右方向で見て外方に傾斜する傾斜ガイド面９９として構成されると共に、その表面１００が、前記係合突出片９５の突出方向と直交する平坦係合面１０１として構成されている。該第１の係合部５は、図２３に示すように、前記パネル枠６３の上下方向に延長して設けられてなる、前記第２の左右方向面５９，５９の縁部分１０２，１０２としての前記第２の係合部７と係合し得る。
【００４３】
そして図１７( Ｂ）に示すように、前記基板９２の左右の側部分１０３，１０３は前記係合溝８７，８７に挿入され、且つ、該基板９２は、図１７（Ｂ）、図２４に示すように、前記柱部材２２の前記縦側面部８５の所要高さ部位に例えばビス固定される。そのために本実施例においては図２４に示すように、前記基板９２( 図１７( Ｂ) ) の長手中央線に沿う例えば上下部位においてビス挿通孔１０５，１０５が設けられており、該ビス挿通孔１０５を挿通したビス１０６の先端を前記位置決め溝線９１（図２１）に当てがって前記縦側面部８５にネジ込むことにより、該係合部材６を前記柱部材２２にネジ固定する。
【００４４】
前記固定台座部２３は、図２１、図２５に示すように、基板１０７の外面１０９の両側寄り部位において、平行して突出する係合突出片１１０，１１０が設けられており、該両係合突出片１１０，１１０の先端外面に、係合突部１１１が設けられている。
【００４５】
該係合突部１１１は図２５に示すように、その裏面１１２が、前記基板１０７に向け且つ左右方向で見て外方に傾斜する傾斜ガイド面１１３として構成されると共に、その先端に、前記係合突出片１１０の突出方向と直交する平坦係合面１１５が設けられている。そして前記係合突部１１１は、図２３に示すように、前記パネル枠６３の上下に延長して設けられてなる、前記第２の左右方向面５９，５９の縁部分１０２，１０２と係合し得る。
【００４６】
図２５（Ａ）は、該固定台座部２３の前記基板１０７の左右の側部分１１６，１１６を前記係合溝８７，８７に挿入し、前記縦側面部８５の、前記係合部材６を前記柱部材２２に固定したのと略同高さ位置において（図２１〜２２、図２４）、例えばビス固定した状態を示している。そのために本実施例においては図２４に示すように、前記基板１０７の長手中央線に沿う例えば上下部位においてビス挿通孔１１８，１１８が設けられており、該ビス挿通孔１１８を挿通したビス１２４の先端を前記位置決め溝線９１（図２１）に当てがって前記縦側面部８５にネジ込むことにより、図２１、図２４〜２５に示すように、該固定台座部２３を前記柱部材２２にネジ固定する。
【００４７】
図１７、図２４は、前記係合部材６と前記固定台座部２３が固定されてなる前記柱部材２２を該固定台座部２３を介して前記間仕切り用パネル２の前記パネル縦縁部Ａ１に固定した状態を示している。この固定は、先ず図２５（Ａ）に示すように、該固定台座部２３の前記左右の係合突出片１１０，１１０の前記傾斜ガイド面１１３，１１３を、前記第１の左右方向面５６と前記第２の内外方向面５７とが交わる角部１０８に当接させる。この状態で該左右の係合突出片１１０，１１０を前記外開放溝５２内で押し込むと、図２５（Ｂ）に示すように前記傾斜ガイド面１１３，１１３の先端１２０，１２０が前記第２の内外方向面５７に擦られつつ前記連結片４９に向けて移動するのであるが、この際、図２５（Ｂ）に示すように、前記両係合突出片１１０，１１０が、向き合う内方に弾性変形する。そして最終的には図２５( Ｃ) に示すように、前記平坦係合面１１５，１１５が前記第２の左右方向面５７，５７と当接状態に係合することによって、前記固定台座部２３に設けられている前記係合突部１１１と、前記パネル縦縁部Ａ１に設けられている前記第２の係合部７とが前記横方向で分離不能に係合する。この係合状態で、図１７に示すように、該係合突部１１１，１１１の先端１１８，１１８が前記連結片４９の外面４８に当接する。
【００４８】
その後図１７、図２４に示すように、前記係合部材６の前記基板９２、前記柱部材２２、前記固定台座部２３の前記基板１０７の上下部位に設けられているビス挿通孔１１９，１１９を挿通したビス１２０，１２０を前記パネル枠６３の前記連結片４９にねじ込むことによって、前記柱部材２２を前記パネル縦縁部Ａ１に固定する。これによって図１７、図２４に示すように、該柱部材２２が前記固定台座部２３を支えとして該間仕切り用パネル２ａに安定的に連結されることとなる。
【００４９】
このように本実施例においては、該パネル縦縁部Ａ１への前記柱部材２２の固定を、前記係合部材６と略同高さ部位において固定された前記固定台座部２３を介して行うため、図１７、図２４に示すように、該固定台座部２３が支えとなって、該柱部材２２を安定状態で前記パネル縦縁部Ａ１に固定できると共に、後述する間仕切り用パネル２ａ，２ｂ相互の連結を安定状態で行うことができる。
【００５０】
図２３、図２６、図２７、図２８は、前記固定台座部２３が前記のように固定されてなる柱部材２２を用いて間仕切り用パネル２，２相互を連結した状態を示している。
【００５１】
図２３は、前記固定台座部２３が固定されてなる前記縦側面部８５（８５ａ）と対向する縦側面部８５（８５ｂ）に前記係合部材６を、該固定台座部２３と対向状態に固定してなる前記柱部材２２を介して、２枚の前記間仕切り用パネル２，２相互を平面視で直線状に連結した状態を示している。
【００５２】
図２６は、前記固定台座部２３が固定されてなる前記縦側面部８５（８５ａ）と隣り合う縦側面部８５( ８５ｂ) に前記係合部材６を、該固定台座部２３と直角をなして固定してなる前記柱部材２２を介して、２枚の前記間仕切り用パネル２，２相互を平面視でＬ字状の配置で連結した状態を示している。
【００５３】
図２７は、前記固定台座部２３が固定されてなる前記縦側面部８５（８５ａ）を除く二つの縦側面部８５（８５ｂ），８５（８５ｃ）に前記係合部材６，６が固定されてなる前記柱部材２２を用いて、３枚の前記間仕切り用パネル２，２，２，２を、平面視でＴ字状の配置で連結した状態を示している。
【００５４】
又図２８は、前記固定台座部２３が固定されてなる前記縦側面部８５（８５ａ）を除く三つの縦側面部８５（８５ｂ），８５( ８５ｃ) ，８５( ８５ｄ) に前記係合部材６，６，６が固定されてなる前記柱部材２２を用いて、４枚の前記間仕切り用パネル２，２，２，２を、平面視で十字状の配置で連結した状態を示している。
【００５５】
図２６、図２７、図２８に示す前記連結状態においては、前記固定台座部２３が固定されてなる間仕切り用パネル２に対して、これと直角をなす連結状態となる間仕切り用パネル２を連結するために用いられる係合部材６の両係合突出片９５，９５の長さは、パネル連結に支障が生じないように比較的長く形成されている。
【００５６】
図２９は、前記間仕切り用パネル２，２（前記第１の間仕切り用パネル２ａと前記第２の間仕切り用パネル２ｂ）の前記連結縦側部３ａ，３ｂ相互を連結する工程を説明するものであり、基本的な工程は、前記柱部材２２に設けられた前記固定台座部２３を前記パネル縦縁部Ａ１に固定する場合と同様である。先ず図２９（Ａ）に示すように、前記第１の間仕切り用パネル２ａの前記連結縦側部３ａに突設されている前記係合部材６の前記左右の係合突出片９５，９５の前記傾斜ガイド面９９，９９を、前記第１の左右方向面５６と前記第２の内外方向面５７とが交わる角部１０８に当接させる。
【００５７】
この状態で、前記第１の係合部５を前記第２の係合部７に対して前記横方向で相対的に前進させ、該左右の係合突出片９５，９５を前記外開放溝５２内で押し込む。これによって、図２９（Ｂ）に示すように、前記傾斜ガイド面９９，９９の先端１２２，１２２が前記第２の内外方向面５７，５７に擦られつつ前記圧縮性芯材１９の芯材端面部２５に向けて移動するのであるが、この際、前記両係合突出片９５，９５が向き合う内方に弾性変形する。そして最終的には図２３に示すように、前記平坦係合面１０１，１０１が前記第２の左右方向面５９と当接状態に係合することによって、前記第１の係合部５と前記第２の係合部７とが係合し、前記第１の間仕切り用パネル２ａと前記第２の間仕切り用パネル２ｂの前記連結縦側部３ａ，３ｂ相互が連結されることとなる。
【００５８】
前記係合解除部９は、図１５、図３０〜３１に示すように、前記第２の係合部７（図２１、図２３）が設けられておらず前記第１の係合部５との係合を不能とするものであり、本実施例においては、前記第１の左右方向面５６と前記第２の内外方向面５７と前記第２の左右方向面５９とで構成されている、上下方向に長い突条部１２３( 図１７) を、これが前記係合突部９６と接触しないように切除して構成されている（図３０〜３１）。
【００５９】
前記係合解除部は、前記外開放溝５２に挿入したドリルを用いて形成されており、本実施例においては、前記連結片４９( 図１４、図３０) も切除されている。該係合解除部９は図１５、図１に示すように、前記間仕切り用パネル２（２ｂ）の前記連結縦側部３ｂの上下に設けられており、夫々の係合解除部９，９の上下長さは１７０ｍｍ程度に設定されている。
【００６０】
そして図１５に示すように、下に位置する係合解除部９ｂの下端１２５は前記間仕切り用パネル２ｂの下面部１０から３５ｍｍ程度上方に位置している。又、上に位置する係合解除部９ａの上端１２６は前記間仕切り用パネル２ｂの上面部１２７から８５ｍｍ程度下方に位置している。又図２、図１５に示すように、前記間仕切り用パネル２ａ，２ｂ相互が連結された状態で、上に位置する前記係合解除部９ａは、上に位置する前記係合部材６ａの直下に位置し、下に位置する前記係合解除部９ｂは、下に位置する前記係合部材６ｂの直下に位置するようになされている。
【００６１】
そして図１に示すように、前記間仕切り用パネル２の夫々の下面部１０の両側部位１２９，１２９には、該間仕切り用パネル２の設置高さを調節するためのアジャスター１３０が設けられている。該アジャスター１３０は、図１３、図３２〜３３に示すように、前記パネル枠６３の前記連結片４９に固定されたナット１３１に螺合し得る調整ネジ軸１３２の下端に、床面１４に載置される座片１３３が設けられている。該調整ネジ軸１３２の該ナット１３１に対するねじ込み量を調整することにより、連結される間仕切り用パネル２の設置高さを所要に調整できる。
【００６２】
又本実施例においては図３２〜３３に示すように、相互が連結状態にある第１、第２の間仕切り用パネル２ａ，２ｂの内の一方の間仕切り用パネル（本実施例においては第２の間仕切り用パネル）２ｂの下面部１０に、その他方の間仕切り用パネル（第１の間仕切りをパネル）２ａの下面部端部分１１を覆う下のカバー部材１３７の下面１３９に当接し得る係合突片部１２を具えた前記スライド係合部材１３が、該下面部１０の長さ方向でスライド可能に設けられている。ここに該下面部端部分１１は、本実施例においては、前記柱部材２２の下端１３６であり、図２２（Ｂ）に示す前記下のカバー片２８ｂの下面３４ｂである。そして該スライド係合部材１３を、図３２（Ｂ）、図３３（Ａ）に示すように、該係合突片部１２が前記下面部端部分１１に当接するように外方にスライドさせた状態で、該スライド係合部材１３を固定手段１５によって前記下面部１０に固定可能となされている。
【００６３】
該スライド係合部材１３は本実施例においては図３２に示すように厚さが２ｍｍ程度で幅が２６ｍｍ程度の細長な長方形板状を呈しており、その長手中央線に沿って長く延長し且つ長方形の一方の短辺１４１で開口する切欠長孔１４２が設けられている。該切欠長孔１４２には、前記アジャスター１３０を構成する調整ネジ軸１３２と、該調整ネジ軸１３２と所要間隔を置いて配置された、前記固定手段１５を構成する固定ネジ軸１４５が挿通されている。該調整ネジ軸１３２と該固定ネジ軸１４５は、前記連結片４９にビス１４６で固定された固定板１４７に設けられたナット１３１，１５０に螺合されている。該固定ネジ軸１４５が緩められた状態で、前記スライド係合部材１３が前記下面部１０の長さ方向でスライドできる。そして、前記係合突片部１２が前記下面部１０の外端１５１から例えば５ｍｍ程度突出した状態で前記固定ネジ軸１４５（図３３）を締め付けることにより、該スライド係合部材１３を該下面部１０に固定できる。本実施例においては前記調整ネジ軸１３２と前記固定ネジ軸１４５の双方が前記切欠長孔１４２を挿通するため、該スライド係合部材１３の回り止めを図りつつ該スライド係合部材１３を確実にスライドさせることができる。
【００６４】
図１〜２は、前記間仕切り用パネル２を連結してローパーティション１６（図８〜１０）の直線状間仕切り部１５２を構成するに際して間仕切り用パネル２，２相互を連結する施工の基本工程を示している。同図においては、パネル幅が１０００ｍｍであって、第１の係合部５を有する前記係合部材６が突設されてなる前記間仕切り用パネル（前記第１の間仕切り用パネル２ａに相当するパネルであって、図１で２Ａとも表示されている）と、パネル幅が４５０ｍｍであって前記第２の係合部７と前記係合解除部９とが設けられてなる間仕切り用パネル（前記第２の間仕切り用パネル２ｂに相当する）２を連結する施工要領が示されている。なお図１においては、パネル幅が１０００ｍｍである間仕切り用パネル２Ａには、パネル幅が４５０ｍｍである間仕切り用パネル（右端の間仕切り用パネル）２が既に連結されている。
【００６５】
先ず図１に矢印で示すように、前記第２の間仕切り用パネル２ｂの前記第２の係合部７を前記第１の間仕切り用パネル２ａの前記第１の係合部５に向けて横方向で前進（前記相対的前進の一態様）させる。この前進により、該第１の間仕切り用パネル２ａに固定されてなる前記柱部材２２に突設されている前記係合部材（即ち、前記連結縦側部３ａに突設されている係合部材）６に設けられている前記第１の係合部５が、前記第２の間仕切り用パネル２ｂの連結縦側部３ｂに設けられている前記第２の係合部７に前記横方向で分離不能に係合し、図２３に示すように第１、第２の間仕切り用パネル２ａ，２ｂの前記連結縦側部３ａ，３ｂ相互が連結される。本実施例においては、前記係合部材６と前記固定台座部２３が略同高さにあって該係合部材６が該固定台座部２３の側方に位置しているため、該係合部材６が設けられている部分の剛性が高く、従って、前記第１の間仕切り用パネル２ａの前記連結縦側部３ａに固定されている前記柱部材２２を前記連結の際に撓み変形させにくく、該連結を安定状態で容易に行うことができる。
【００６６】
前記連結縦側部３ａに対する前記柱部材２２の固定は、前記固定台座部２３を介さずに行うことも可能ではあるが、前記固定台座部２３を介する方が、該柱部材２２を前記連結縦側部３ａに、より安定的に固定できて好ましい。そしてこのことは、前記のように、間仕切り用パネル２，２の前記連結縦側部３，３相互の連結をより安定状態で行うことを可能とするのである。
【００６７】
前記連結縦側部３，３相互をこのように連結した後、図３２（Ｂ）、図３３（Ａ）に示すように、前記一方の間仕切り用パネル（本実施例においては前記第２の間仕切り用パネル）２ｂの下面部１０に設けられている前記スライド係合部材１３を、前記係合突片部１２が前記第１の間仕切り用パネル２ａの下面部端部分１１に当接するように、外方にスライドさせる。このスライド係合部材１３は目視不能であるため、構成されたローパーティション１６の見栄えが該スライド係合部材１３の露出によって損われる恐れがない。又、悪戯によって該スライド係合部材１３の該当接による係合状態が解除されてしまう恐れもない。図２は、かかる連結施工によって３枚の間仕切り用パネル２，２，２を直線状に連結して構成された直線状間仕切り部１５２を示している。
【００６８】
次に、かかる直線状間仕切り部１５２を分解する施工の基本工程を説明する。先ず図２に矢印で示すように、左端の前記間仕切り用パネル（前記第２の間仕切り用パネル）２ｂを持ち上げて、図３，図６に示すように、前記係合部材６に設けられている前記第１の係合部５を、該左端の間仕切り用パネル２ｂの前記係合解除部９に位置させる。この状態で図３、図６に矢印で示すように、左端の間仕切り用パネル（前記第２の間仕切り用パネル）２ｂを左方に移動させると、該間仕切り用パネル２ｂを、これに連結されていた前記第１の間仕切り用パネル２ａから分離できる。その後図４に矢印で示すように、中央の間仕切り用パネル（前記第２の間仕切り用パネル）２ｂを持ち上げて、前記右端の間仕切り用パネル２ａの係合部材６に設けられている第１の係合部５を、該中央の間仕切り用パネル２ｂの前記係合解除部９に位置させる。この状態で該中央の間仕切り用パネル２ｂを同様に左方に移動させると、該間仕切り用パネル（第２の間仕切り用パネル）２ｂを、これに連結されていた前記第１の間仕切り用パネル２ａから分離できる。これによって、前記直線状間仕切り部１５２を分解できる。
【００６９】
次に、図８に示すローパーティション１６の全体について、間仕切り用パネル２，２相互の連結部分の構成をより具体的に説明する。又、該ローパーティション１６の組み立て順序（即ち、該ローパーティション１６を構成する間仕切り用パネル２の連結の順序）、及び該ローパーティション１６を組み替えたり撤去する際における該ローパーティション１６の分解の順序（即ち、該ローパーティション１６を構成する前記間仕切り用パネル２の分離の順序）をより具体的に説明する。
【００７０】
図８〜１１において前記ローパーティション１６は、３枚の間仕切り用パネル２，２，２を直線状に連結して構成された直線状間仕切り部１５２と、該直線状間仕切り部１５２の両端部分及び中間部分において該直線状間仕切り部１５２に対して直角を呈する、１枚の間仕切り用パネル２からなる直角間仕切り部１５７，１５７，１５７とから構成されている。以下、該直線状間仕切り部１５２を構成する間仕切り用パネル２を、図８の右側から左側に向けて順に第１パネル１５９、第２パネル１６０、第３パネル１６１とする。又、該直角間仕切り部１５７を構成する間仕切り用パネル２を、図８の右側から左側に向けて順に第４パネル１６２、第５パネル１６３、第６パネル１６５とする。
【００７１】
前記第４パネル１６２は図３４に示すように、前記間仕切り用パネル２の一方のパネル縦縁部Ａ１に前記柱部材２２が、前記固定台座部２３を介して固定されて連結縦側部３ａが構成されており、且つ、前記直線状間仕切り部１５２の延長方向で前記係合突出片９５が突出する如く前記係合部材６が前記縦側面部８５で突設されている。又、他方のパネル縦縁部には、前記床面１４に対する固定部（図示せず）が下端に設けられてなる端部材１６７が固定されている。該端部材１６７は、前記柱部材２２と同様構成の柱部材１６９と、その外側部を覆うカバー部材１７０とを用いて構成されている。
【００７２】
前記第１パネル１５９は図３４に示すように、前記第４パネル１６２の前記係合部材６と対向する一方の連結縦側部３ｂに、前記第２の係合部７と前記係合解除部９が設けられている。又その他方の連結縦側部３ａは、前記パネル縁部Ａ１に前記固定台座部２３を介して固定された前記柱部材２２を以て構成されており、該柱部材２２に、前記直線状間仕切り部１５２の延長方向で前記係合突出片９５が突出する如く前記係合部材６が前記縦側面部８５で突設されている。又図１１、図３２に示すように、その下面部１０の、前記係合解除部９が存する側で前記スライド係合部材１３が設けられている。
【００７３】
前記第２パネル１６０は図３４に示すように、前記第１パネル１５９の前記係合部材６と対向する一方の連結縦側部３ｂに、前記第２の係合部７と前記係合解除部９が設けられている。又図３５に示すように、その他方の連結縦側部３ａに、前記柱部材２２が前記固定台座部２３を介して固定されている。そして、前記直線状間仕切り部１５２の延長方向で突出する如く、且つ、前記第５パネル１６３が構成する前記直角間仕切り部１５７の延長方向で突出する如く、前記係合部材６が前記縦側面部８５，８５で突設されている。又図１１、図３２に示すように、その下面部１０の、前記係合解除部９が存する側で前記スライド係合部材１３が設けられている。
【００７４】
前記第３パネル１６１は図３５に示すように、前記第２パネル１６０の、前記直線状間仕切り部１５２の延長方向で突出する前記係合部材６と対向する一方の連結縦側部３ｂに、前記第２の係合部７と前記係合解除部９が設けられている。そして、その他方の連結縦側部３ａは、前記固定台座部２３を介して前記パネル縦縁部Ａ１に固定された前記柱部材２２を以て構成されており、該柱部材２２に、前記直角間仕切り部１５７の延長方向に向けて突出する如く前記係合部材６が前記縦側面部８５で突設されている。又図１１に示すように、その下面部１０の、前記係合解除部９が存する側で前記スライド係合部材１３が設けられている。
【００７５】
前記第５パネル１６３は図３５に示すように、前記直角間仕切り部１５７を構成するものであり、前記第２パネル１６０の前記係合部材６と対向する一方の連結縦側部３ｂに、前記第２の係合部７と前記係合解除部９が設けられている。又図１１に示すように、その下面部１０の、前記係合解除部９が存する側で前記スライド係合部材１３が設けられている。前記第６パネル１６５は図３５に示すように、前記第５パネル１６３と同一の構成を有している。
【００７６】
本実施例においては、該第５パネル１６３と該第６パネル１６５の他方の連結縦側部３ｂには、図８、図３５に示すように、前記上のパネル枠６３におけると同様に、その外開放溝５２を覆い隠すために前記と同様構成のスライドカバー部材６７が装着されている。又本実施例においては、前記の各柱部材２２の上端１７１は、図１５〜１６、図２４、図３６〜３７に示すように、前記間仕切り用パネル２ａ，２ｂの上端１７２の若干下側に位置していて上の段差部１７３が設けられると共に、前記柱部材２２の下端１３６は前記間仕切り用パネル２の下端１７５の若干上側に位置していて下の段差部１７６が設けられている。
【００７７】
そして該上下の段差部１７３，１７６には、図３６、図３８に示すように、前記上下のコーナー部材８１，８１（図２１）と、上下のカバー部材１７７，１３７が装着され、前記柱部材２２の前記上端１７１と前記下端１３６は該上下のカバー部材１７７，１３７で覆われている。図３７には上下のカバー部材１７７，１３７が例示されている。該上下のカバー部材１７７，１３７は、上のカバー部材１７７に代表させて図３８に示すように、前記上下の段差部分１７３，１７６を密接状態で埋めることによって、前記間仕切り用パネル２，２相互が屈曲するのを防止し、パネル相互の連結部分１７８の安定性向上に寄与する。
【００７８】
又図３６に示すように、該上のカバー部材１７７の上面１７９は前記間仕切り用パネル２の上端１７２と面一であり、前記柱部材２２の下端１３６を覆う該下のカバー部材１３７の下面１３９は前記間仕切り用パネル２の下端１７５と面一で、前記したように、前記スライド係合部材１３の係合突片部１２が当接し得る前記下面部端部分１１を構成している。
【００７９】
又図３４〜３５に示すように、前記第３パネル１６１の前記柱部材２２の側面部１８０と前記第４パネル１６２の前記柱部材２２の側面部１８１はＬ字状カバー片１８２で覆われている。
【００８０】
次に、かかる構成を有するローパーティション１６を組み立てる施工工程を説明する。図８、図３４において、先ず、前記第４パネル１６２を床面１６６で立設すると共に、該第４パネル１６２の他方の連結縦側部３ｂの下端に設けられている前記固定部をビス等によって床面１６６に固定する。
【００８１】
次に図８〜図１０、図３４の右側部分に示すように、前記第１パネル１５９の連結縦側３ｂと前記第４パネル１６２の前記連結縦側部３ａを前記第１、第２の係合部５，７の前記係合によって連結する。この連結は、図３４の右側部分に示すように、該第１パネル１５９の前記連結縦側部３ｂに設けられている前記第２の係合部７を、前記第４パネル１６２に前記柱部材２２を介して突設されている前記係合部材６に対して前進させ、前記第１、第２の係合部５，７相互を前記横方向で分離不能に係合させることによって行う。その後、前記固定ネジ軸１４５（図３３）が緩められた状態で前記スライド係合部材１３を図９、図３２（Ｂ）、図３３（Ａ）に示すように外方向（図９の右方向）にスライドさせ、その係合突片部１２を図３３（Ａ）に示すように前記第４パネル１６２の下面部端部分１１に当接させる。この当接状態で、前記固定ネジ軸１４５を締め付けて該スライド係合部材１３を前記下面部１０に固定し、該スライド係合部材１３の不用意なスライドを防止する。これによって前記第１パネル１５９の浮き上がりが阻止される。
【００８２】
次に図３４の左側部分に示すように、前記第１パネル１５９と前記第２パネル１６０の前記連結縦側部３ａ，３ｂ相互を前記第１、第２の係合部５，７の前記係合によって連結する。その後前記と同様にして、該第２パネル１６０に設けられている前記スライド係合部材１３を図９に示すように外方向にスライドさせることによって、その係合突片部１２を該第１パネル１５９の下面部端部分１１に当接させ、該スライド係合部材１３を前記下面部１０に固定する。これによって該第２パネル１６０の浮き上がりを阻止する。
【００８３】
次に図３５の右側部分に示すように、前記第２パネル１６０と前記第３パネル１６１の前記連結縦側部３ａ，３ｂ相互を前記第１、第２の係合部５，７の前記係合によって連結する。この際に用いる前記第１の係合部５は、前記係合突出片９５が前記直線状間仕切り部１５２の延長方向に突出するものである。その後前記と同様にして、該第３パネル１６１に設けられている前記スライド係合部材１３を図９に示すように外方向にスライドさせることによって、その係合突片部１２を該第２パネル１６０の下面部端部分１１に当接させ、前記と同様にして該スライド係合部材１３を前記下面部１０に固定する。これによって該第３パネル１６１の浮き上がりを阻止する。
【００８４】
次に図３５に示すように、前記第２パネル１６０と前記第５パネル１６３の前記連結縦側部３ａ，３ｂ相互を前記第１、第２の係合部５，７の前記係合によって連結する。この際に用いる前記第１の係合部５は、前記係合突出片９５が、前記直角間仕切り部１５７の延長方向に突出するものである。この連結によって該第５パネル１６３が、前記第２パネル１６０と前記第３パネル１６１の直線状の連結部分１６４に対して、平面視でＴ字状を呈して連結された状態となる。その後前記と同様にして、該第５パネル１６３に設けられている前記スライド係合部材１３を図９に示すように外方向にスライドさせることによって、その係合突片部１２を該第２パネル１６０の下面部端部分１１に当接させ、該スライド係合部材１３を前記と同様にして前記下面部１０に固定する。これによって該第５パネル１６３の浮き上がりを阻止する。
【００８５】
最後に図３５に示すように、前記第３パネル１６１と前記第６パネル１６５の前記連結縦側部３ａ，３ｂ相互を前記第１、第２の係合部５，７の前記係合によって連結する。その後前記と同様にして、該第６パネル１６５に設けられている前記スライド係合部材１３を図９に示すように外方向にスライドさせることによって、その係合突片部１２を該第３パネル１６１の下面部端部分１１に当接させ、該スライド係合部材１３を前記と同様にして前記下面部１０に固定する。これによって該第６パネル１６５の浮き上がりを阻止する。
【００８６】
このように連結した後、前記上下のコーナー部材８１，８１、上下のカバー部材１７７，１３７の装着、前記Ｌ字状カバー片１８２の装着を行えば、見栄えの良い強度的安定性に優れるローパーティション１６（図８）を構成できることとなる。
【００８７】
次に、かかる構成を有するローパーティション１６を例えば移設のために分解する施工工程を説明する。この分解は、例えば前記組み立ての順序と逆の順序で行うことができる。この分解は図６に基づいて説明したように、先ず、前記係合突片部１２と前記下面部端部１１との係合が解除されるように前記スライド係合部材１３を内方向にスライドさせる。その後、前記間仕切り用パネル２の所要の持ち上げによって、前記第１の係合部５を前記係合解除部９に位置させれば、前記間仕切り用パネル２を順次分離でき、これによって前記ローパーティション１６を分解できる。
【実施例２】
【００８８】
本発明は、前記実施例で示したものに限定されるものでは決してなく、「特許請求の範囲」の記載内で種々の設計変更が可能であることはいうまでもない。その一例を挙げれば次のようである。
【００８９】
(1) 前記第１の係合部５と前記２の係合部７の構成は、該第１の係合部５が該第２の係合部７に向けて前記横方向で相対的に前進するに伴い該第１の係合部５及び／又は該第２の係合部７が弾性変形し、その後における該第１の係合部５の弾性復帰作用によって該第１の係合部５と該第２の係合部７とが前記横方向で分離不能に係合できるものであれば各種に構成できる。ここに該第１の係合部５及び／又は該第２の係合部７が弾性変形するとは、該第１の係合部５又は該第２の係合部７が弾性変形することの他、その双方が弾性変形することを含むものである。
【００９０】
(2) 図３９は前記第１の係合部５と前記第２の係合部７の他の態様を示すものであり、該第１の係合部５を、首部１８４の先端の対向側に係合段差面１８５，１８５を介して、横断面三角形状を呈する膨出部１８６が設けられたものとして構成する一方、該第２の係合部７を、該膨出部１８６と弾性的に係脱し得る、上下に延長する溝部１８７を構成する１対の挟持片１８９，１８９を以って構成した場合を示すものであり、該１対の挟持片１８９，１８９の夫々の先端部には係合突部１９０が設けられている。該係合突部１９０は、先端１９１に向けて先細化すると共に、前記係合段差面１８５と当接し得る係合面１９２が設けられている。
【００９１】
前記第１の係合部５と前記第２の係合部７をこのように構成したときは、前記第１の係合部５を前記第２の係合部７に対して前記横方向で相対的に前進させ、図４０（Ａ）に示すように、前記膨出部１８６を前記溝部１８７内に押し込む。これによって図３９（Ａ）に示すように、前記係合突部１９０が、前記先端１９が前記膨出部１８６の傾斜面１９３に擦られつつ前記首部１８４に向けて移動するのであるが、この際、前記両挟持片１８９，１８９が逆方向に弾性変形する。そして最終的には図３９（Ｂ）に示すように、前記係合突部１９０が前記係合溝部１９５，１９５に嵌まる。これによって、前記係合面１９２が前記係合段差面１８５と当接状態に係合できる。前記第１の係合部５と前記第２の係合部分７とがこのように係合することによって、前記第１の間仕切り用パネル２ａと前記第２の間仕切り用パネル２ｂの前記連結縦側部３ａ，３ｂ相互が連結されることとなる。
【００９２】
図４０は、前記第１の係合部５と前記第２の係合部７を、図３９で示した場合と逆に構成した場合を示すものであり、前記第２の係合部７が前記と同様構成の膨出部１８６を上下方向に延長して有し、前記第１の係合部５が前記と同様構成の挟持片１８９，１８９を有している。この場合も前記と同様にして、該第１の係合部５と該第２の係合部分７とが係合して、前記第１の間仕切り用パネル２ａと前記第２の間仕切り用パネル２ｂの前記連結縦側部３ａ，３ｂ相互が連結されることとなる（図４０（Ｂ））。
【００９３】
(3) 前記係合部材６が、前記第１の間仕切り用パネル２ａの前記パネル縦縁部Ａ１に、前記固定台座部２３を介して固定される柱部材２２に突設される場合において、該パネル縦縁部Ａ１に対しての該柱部材２２の固定手段は、前記連結縦側部３ａ，３ｂ相互を分離する際に前記第１、第２の間仕切り用パネル２ａ，２ｂの何れか一方をその他方に対して所要高さに持ち上げて該第１、第２の係合部５，７の係合を解除できるように該柱部材２２を該連結縦側部３ａと一体化状態となし得るのであれば、例えば、図３６、図１５に示すように嵌着された前記上下のコーナー部材８１，８１による該柱部材２２の保持手段によってもよい。
【００９４】
(4) 第１、第２の間仕切り用パネル２ａ，２ｂの前記連結縦側部３ａ，３ｂ相互が連結された状態において、図１、図１５においては前記係合解除部９を前記第１の係合部５の直下に位置させているが、図４１に示すように、該係合解除部９を該第１の係合部５の直上に位置させてもよい。この場合も、該第１の係合部５を有する第１の間仕切り用パネル２ａを該係合解除部９を有する該第２の間仕切り用パネル２ｂに対して所要高さに持ち上げれば、図４２に示すように、該第１の係合部５を該係合解除部９に位置させて該第１、第２の間仕切り用パネル２ａ，２ｂを分離できる。
【００９５】
(5) 図４３は、係合部材６が前記連結縦側部３ａに突設されてなる場合の他の態様を  示すものであり、該連結縦側部３ａを構成する前記パネル枠材２１は、図１４に示す前記パネル枠材２１における前記外開放溝５２をカバー片部１９６で一体に覆うことによって該外開放溝５２が省略された構成を有している。該係合部材６は前記と同様の構成を有しており、基板９２の外面９３の両側寄り部位において、平行して突出する係合突出片９５，９５が設けられている。そして本実施例においては該係合部材６が、該基板９２の長手中心線を前記カバー片部１９６の外面９３の長手中心線に合致させて該基板９２を該外面９３に当接させ且つ該基板９２を該カバー片部１９６にビス１０６で固定することによって、該係合部材６を前記連結縦側部３ａに突設している。
【００９６】
(6) 前記係合部材６の上下長さは、前記実施例においては１５０ｍｍ程度に設定されているが、例えば５０ｍｍ程度と短く設定してもよい。このように短く設定すれば、該係合部材６の有する第１の係合部５を前記係合解除部９に位置させる際の間仕切り用パネル２ａの持ち上げ量を５０ｍｍ程度と小さくすることも可能である。
【００９７】
又、前記第１、第２の間仕切り用パネル２ａ，２ｂの上下長さは、前記ローパーティション１６にあっては１１００ｍｍに設定されているが、ハイパーティションにあっては、１８００〜２１００ｍｍに設定される。そのため、前記係合部材６の上下長さやその使用個数は、前記第１、第２の間仕切り用パネル２ａ，２ｂの必要な連結強度を考慮して所要に設定されるものである。例えば、前記係合部材６の上下長さをより長く形成したり、該係合部材６の使用個数をより多くすることによって、前記第１、第２の間仕切り用パネル２ａ，２ｂの連結強度をより高めることができる。又係合部材６は、これが比較的長い場合は１個のこともある。
【００９８】
(7) 前記スライド係合部材１３を前記下面部１０に固定する固定手段１５は、前記した固定ネジ軸１４５を用いて行うことの他、バネ部材の付勢作用を利用する等の各種公知手段を用いて行うことができる。
【００９９】
又、該スライド係合部材１３をスライドさせる構成は、前記切欠長孔１４２を設けて構成することの他、図４４に示すように周方向で閉じた長孔１８７を設けて構成することもできる。
【０１００】
又、前記スライド係合部材１３をスライド可能とする構成は、例えば図４５に示すように、該スライド係合部材１３の両側部分１９７，１９７を対向ガイド溝１９９，１９９に嵌め合わせて行ってもよい。
【０１０１】
又、前記スライド係合部材１３が前記下面部１０の長さ方向でスライドするとは、該スライド係合部材１３が該下面部１０に接した状態でスライドするものには限られず、該スライド係合部材１３が該下面部１０から稍浮いた状態でスライドするものであってもよい。
【０１０２】
(8) 前記スライド係合部材１３は図４６に示すように、前記パネル縦縁部Ａに前記柱部材２２が固定されてなる場合において、該柱部材２２が存する側の前記下面部１０に設けられることもある。この場合は、該スライド係合部材１３は、前記係合突片部１２が、該柱部材２２の縁部２００を越えて突出するようにスライドさせる。
【０１０３】
(9) 前記スライド係合部材１３は、前記間仕切り用パネル２の下面部１０の両側部分に個別に設けてもよい。
【０１０４】
(10)前記固定台座部２３は、前記したように前記係合部材６と同様に構成することの他、前記柱部材２２を連結縦側部３に固定する際の支えとなり得るものであれば各種形態のものとして構成できる。
【０１０５】
(11)図４７は、前記柱部材２２を前記パネル縦縁部Ａ１にビス１２０で固定する他の態様を示すものであり、前記係合部材６と前記固定台座部２３が同長さで、前記柱部材２２の同高さ位置に配設されている場合において、該固定台座部２３の上端２０１の稍上側部位及び、該固定台座部２３の下端２０２の稍下側部位において、該柱部材２２のみに前記ビス挿通孔１１９を設け、該ビス挿通孔１１９を挿通したビス１２０を前記パネル枠６３の前記連結片４９にねじ込むことによって、該柱部材２２を前記パネル縦縁部Ａ１に固定した状態を示している。前記係合部材６は、その長さが前記固定台座部２３よりも短く設定され且つ、該固定台座部２３の上下端２０１、２０２から突出しないように配置されることもある。
【０１０６】
(12)前記ローパーティション１６の分解手順は、これを構成する間仕切り用パネルの  転倒を防止して安全に分解できるのであれば前記した手順には限られない。このことはハイパーティション等の各種間仕切りの分解においても同様である。
【０１０７】
(13)前記間仕切り用パネル２を構成するパネル枠材２１は、アルミニウム合金製の他  、樹脂製等とされることもある。
【符号の説明】
【０１０８】
１  パネル連結装置
２  間仕切り用パネル
３  連結縦側部
５  第１の係合部
６  係合部材
７  第２の係合部
９  係合解除部
１０  下面部
１１  下面部端部分
１２  係合突片部
１３  スライド係合部材
１５  固定手段
２１  パネル枠材
２２  柱部材
２３  固定台座部
６３  パネル枠
６５  パネル枠体
６７  スライドカバー部材
８１  コーナー部材
８５  縦側面部
９５  係合突出片
９６  係合突部
１０６  ビス
１３２  調整ネジ軸
１３７  下のカバー部材
１４５  固定ネジ軸
１５２  直線状間仕切り部
１５７  直角間仕切り部
１７３  上の段差部分
１７６  下の段差部分
１７７  上のカバー部材